(57)【要約】本発明の実施形態はマルチキャスト制御チャネルＭＣＣＨ変更通知の受信方法及びユーザー端末を公開した。当該受信方法は、ＭＣＣＨ変更通知の送信タイミングを取得するステップと、一つのＭＣＣＨ修正周期内でＭＣＣＨ変更通知を受信できない場合、前記ＭＣＣＨ変更通知の送信タイミングにより前記ＭＣＣＨ変更通知を最低Ｎ回受信するステップを含み、前記Ｎは予め設定された前記ＭＣＣＨ変更通知の受信回数である。本発明はユーザー端末のＭＣＣＨ変更通知の受信効率を向上させ、過多のＰＤＣＣＨ上ネットワーク識別子で起きたＭＣＣＨ変更通知の誤処理確率を低減できる。【選択図】図１
2013502104.tif 000002
【特許請求の範囲】
【請求項１】
ＭＣＣＨ(Ｍｕｌｔｉｃａｓｔ  Ｃｏｎｔｒｏｌ  Ｃｈａｎｎｅｌ、マルチキャスト制御チャネル)変更通知の送信タイミングを取得するステップと、
一つのＭＣＣＨ修正周期内でＭＣＣＨ変更通知を受信できなかった場合、前記ＭＣＣＨ変更通知の送信タイミングにより前記ＭＣＣＨ変更通知を少なくてもＮ回受信するステップとを含み、
前記Ｎは予め設定された前記ＭＣＣＨ変更通知の受信回数である
ことを特徴とするマルチキャスト制御チャネル変更通知の受信方法。
【請求項２】
前記ＭＣＣＨ変更通知の送信タイミングを取得するステップは、
ＭＣＣＨ変更通知の通知周期と通知受信タイミングオフセットとを取得するステップと、
ＳＦＮ（Ｓｙｓｔｅｍ  Ｆｒａｍｅ  Ｎｕｍｂｅｒ，システムフレーム番号）と、取得された前記通知周期及び通知受信タイミングオフセットとにより、前記ＭＣＣＨ変更通知の送信タイミングを取得するステップと、
を含むことを特徴とする請求項１記載のマルチキャスト制御チャネル変更通知の受信方法。
【請求項３】
前記ＳＦＮ、取得された前記通知周期及び通知受信タイミングオフセットにより、前記ＭＣＣＨ変更通知の送信タイミングを取得するステップは、
前記通知周期が最大システムフレーム番号ＭａｘＳＦＮより小さいか等しい場合、前記ＳＦＮと前記通知周期とに対して剰余演算を実行し、得られた結果が前記通知受信タイミングオフセットに等しい場合、前記システムフレームの指定サブフレームの位置を前記ＭＣＣＨ変更通知の送信タイミングにするステップ
を含むことを特徴とする請求項２記載のマルチキャスト制御チャネル変更通知の受信方法。
【請求項４】
前記ＳＦＮ、取得された前記通知周期及び通知受信タイミングオフセットにより、前記ＭＣＣＨ変更通知の送信タイミングを取得するステップは、
前記通知周期がＭａｘＳＦＮより大きい場合、前記ＳＦＮと前記通知周期とに対して剰余演算を実行し、式(ｎ＊ＭａｘＳＦＮ＋ＳＦＮ)ｍｏｄ通知周期＝通知受信タイミングオフセットを満足する場合、ＳＦＮ拡張倍数がｎであるＳＦＮ周期の前記システムフレームの指定サブフレームの位置を前記ＭＣＣＨ変更通知の送信タイミングにするステップ
を含むことを特徴とする請求項２記載のマルチキャスト制御チャネル変更通知の受信方法。
【請求項５】
前記一つのＭＣＣＨ修正周期内でＭＣＣＨ変更通知を受信できなかった場合、前記ＭＣＣＨ変更通知の送信タイミングにより前記ＭＣＣＨ変更通知をすくなくともＮ回受信するステップは、
予め設定された通知送信窓をすくなくとも一つ取得し、前記システムフレームの指定サブフレームの位置から、前記通知送信窓内のサブフレーム又はＭＢＳＦＮ（Ｍｕｌｔｉｃａｓｔ／Ｂｒｏａｄｃａｓｔ  ｏｖｅｒ  Ｓｉｎｇｌｅ  Ｆｒｅｑｕｅｎｃｙ  Ｎｅｔｗｏｒｋ，マルチキャスト／ブロードキャスト単一周波数ネットワーク）サブフレームをモニターし、基地局より送信されたＭＣＣＨ変更通知を取得するステップと、
一つのＭＣＣＨ修正周期内でＭＣＣＨ変更通知を受信できなかった場合、前記通知送信窓により前記ＭＣＣＨ変更通知をすくなくともＮ回受信するステップとを含み、
前記通知送信窓のサイズＫの値は前記通知送信窓内のサブフレーム個数又はＭＢＳＦＮサブフレーム個数であり、前記Ｋの値はＮより小さいか等しく、かつ、１より大きいか等しいであることを特徴とする請求項３又は４記載のマルチキャスト制御チャネル変更通知の受信方法。
【請求項６】
前記ＭＣＣＨ変更通知の送信タイミングにより前記ＭＣＣＨ変更通知をすくなくともＮ回受信するステップは、
前記ＭＣＣＨ変更通知を一回正しく受信した後、前記通知送信窓内のサブフレーム又はＭＢＳＦＮサブフレームのＰＤＣＣＨでの特定ＲＮＴＩ又はＭ−ＲＮＴＩの有無に対するモニターを終了するステップ
を含むことを特徴とする請求項５記載のマルチキャスト制御チャネル変更通知の受信方法。
【請求項７】
前記ＭＣＣＨ変更通知の送信タイミングを取得するとは、
ＭＣＣＨ重複周期と前記通知周期とに対して剰余演算を実行して、（ｍ＊ＭＣＣＨ重複周期）ｍｏｄ通知周期＝通知受信タイミングオフセットを満足する場合、ｍ番目のＭＣＣＨ重複周期の初期タイミングを前記ＭＣＣＨ変更通知の送信タイミングにすることであり、
前記ｍはＭＣＣＨ重複周期カウンターである
ことを特徴とする請求項２記載のマルチキャスト制御チャネル変更通知の受信方法。
【請求項８】
前記ＭＣＣＨ変更通知の送信タイミングにより前記ＭＣＣＨ変更通知を少なくともＮ回受信するステップは、
次のＭＣＣＨ修正境界の前にある少なくともＮ個のＭＣＣＨ変更通知の送信タイミングでＰＤＣＣＨをモニターし、前記ＭＣＣＨ変更通知を受信するステップと
を含むことを特徴とする請求項１記載のマルチキャスト制御チャネル変更通知の受信方法。
【請求項９】
前記ＭＣＣＨ変更通知の送信タイミングにより、前記ＭＣＣＨ変更通知を少なくともＮ回受信するステップは、
前記ＭＣＣＨ変更通知を一回正しく受信した後、次のＭＣＣＨ修正境界の前の他の通知送信タイミングで、ＰＤＣＣＨでの特定ＲＮＴＩ又はＭ−ＲＮＴＩの有無に対するモニターを終了するステップ
を更に含むことを特徴とする請求項８記載のマルチキャスト制御チャネル変更通知の受信方法。
【請求項１０】
前記Ｎの値は下記の式で設定され、
Ｎ＝最短ＭＣＣＨ修正周期／ＭＣＣＨ変更通知の重複周期
ここで、ＭＣＣＨ変更通知の重複周期は一つのＭＣＣＨ修正周期内で、ＭＣＣＨ変更通知を繰り返して受信する最短時間間隔である
ことを特徴とする請求項１記載のマルチキャスト制御チャネル変更通知の受信方法。
【請求項１１】
ＭＣＣＨ(Ｍｕｌｔｉｃａｓｔ  Ｃｏｎｔｒｏｌ  Ｃｈａｎｎｅｌ、マルチキャスト制御チャネル)変更通知の送信タイミングを取得するタイミング取得手段と、
一つのＭＣＣＨ修正周期内でＭＣＣＨ変更通知を受信できなかった場合、前記ＭＣＣＨ変更通知の送信タイミングにより前記ＭＣＣＨ変更通知をすくなくともＮ回受信し、前記Ｎは予め設定された前記ＭＣＣＨ変更通知の受信回数である通知受信手段と
を有することを特徴とするユーザー端末。
【請求項１２】
前記タイミング取得手段は、
ＭＣＣＨ変更通知の通知周期と通知受信タイミングオフセットとを取得し、
システムフレーム番号ＳＦＮと、取得された前記通知周期及び通知受信タイミングオフセットとにより、前記ＭＣＣＨ変更通知の送信タイミングを取得する
ことを特徴とする請求項１１記載のユーザー端末。
【請求項１３】
前記タイミング取得手段は、
通知周期が最大システムフレーム番号ＭａｘＳＦＮより小さいか等しい場合、前記ＳＦＮと前記通知周期とに対して剰余演算を実行し、得られた結果が通知受信タイミングオフセットに等しい場合、システムフレームの指定サブフレームの位置を前記ＭＣＣＨ変更通知の送信タイミングにする
ことを特徴とする請求項１１記載のユーザー端末。
【請求項１４】
前記タイミング取得手段は、
通知周期がＭａｘＳＦＮより大きい場合、前記ＳＦＮと前記通知周期とに対して剰余演算を実行し、(ｎ＊ＭａｘＳＦＮ＋ＳＦＮ)ｍｏｄ通知周期＝通知受信タイミングオフセットを満足する場合、ＳＦＮ拡張倍数がｎであるＳＦＮ周期のシステムフレームの指定サブフレームの位置を前記ＭＣＣＨ変更通知の送信タイミングにする
ことを特徴とする請求項１１記載のユーザー端末。
【請求項１５】
前記通知受信手段は、
予め設定された通知送信窓を少なくとも一つ取得し、前記システムフレームの指定サブフレームの位置から、前記通知送信窓内のサブフレーム又はＭＢＳＦＮ（Ｍｕｌｔｉｃａｓｔ／Ｂｒｏａｄｃａｓｔ  ｏｖｅｒ  Ｓｉｎｇｌｅ  Ｆｒｅｑｕｅｎｃｙ  Ｎｅｔｗｏｒｋ，マルチキャスト／ブロードキャスト単一周波数ネットワーク）サブフレームをモニターし、基地局より送信されるＭＣＣＨ変更通知を取得し、又
一つのＭＣＣＨ修正周期内でＭＣＣＨ変更通知を受信できなかった場合、前記通知送信窓により前記ＭＣＣＨ変更通知を少なくともＮ回受信し、
前記通知送信窓のサイズＫの値は前記通知送信窓内のサブフレーム個数又はＭＢＳＦＮサブフレーム個数であり、前記Ｋの値はＮより小さいか等しく、かつ、１より大きいか等しい
ことを特徴とする請求項１３又は１４記載のユーザー端末。
【請求項１６】
前記通知受信手段は又、
前記ＭＣＣＨ変更通知を一回正しく受信した後、前記通知送信窓内のサブフレーム又はＭＢＳＦＮサブフレームのＰＤＣＣＨでの特定ＲＮＴＩ又はＭ−ＲＮＴＩの有無に対するモニターを終了する
ことを特徴とする請求項１５記載のユーザー端末。
【請求項１７】
前記タイミング取得手段は、
ＭＣＣＨ重複周期と前記通知周期とに対して剰余演算を実行し、（ｍ＊ＭＣＣＨ重複周期）ｍｏｄ通知周期＝通知受信タイミングオフセットを満足する場合、ｍ番目のＭＣＣＨ重複周期の初期タイミングを前記ＭＣＣＨ変更通知の送信タイミングにし、
そのうち、前記ｍはＭＣＣＨ重複周期カウンターである
ことを特徴とする請求項１２記載のユーザー端末。
【請求項１８】
前記通知受信手段は、
次のＭＣＣＨ修正境界の前にある少なくてもＮ個のＭＣＣＨ変更通知の送信タイミングでＰＤＣＣＨをモニターし、前記ＭＣＣＨ変更通知を受信する
ことを特徴とする請求項１１記載のユーザー端末。
【請求項１９】
前記通知受信手段は又、
前記ＭＣＣＨ変更通知を一回正しく受信した後、次のＭＣＣＨ修正境界の前の他の通知送信タイミングで、ＰＤＣＣＨでの特定ＲＮＴＩ又はＭ−ＲＮＴＩの有無に対するモニターを終了する
ことを特徴とする請求項１８記載のユーザー端末。
【請求項２０】
Ｎの値は下記の式で設定され、
Ｎ＝最短ＭＣＣＨ修正周期／ＭＣＣＨ変更通知の重複周期
そのうち、前記ＭＣＣＨ変更通知の重複周期は一つのＭＣＣＨ修正周期内で、前記ＭＣＣＨ変更通知を繰り返して受信する最短時間間隔である
ことを特徴とする請求項１１記載の前記ユーザー端末。
【請求項２１】
基地局はＭＣＣＨ（(Ｍｕｌｔｉｃａｓｔ  Ｃｏｎｔｒｏｌ  Ｃｈａｎｎｅｌ、マルチキャスト制御チャネル）変更通知の送信タイミングを取得するステップと、
一つのＭＣＣＨ修正周期内で、前記送信タイミングによりユーザー端末に対して前記ＭＣＣＨ変更通知を少なくともＮ回送信するステップとを含み、
前記Ｎは予め設定された前記ＭＣＣＨ変更通知の送信回数である
ことを特徴とするマルチキャスト制御チャネル変更通知の送信方法。
【請求項２２】
前記基地局がＭＣＣＨ変更通知の送信タイミングを取得するステップは
前記基地局がＭＣＣＨ変更通知の通知周期と通知受信タイミングオフセットとを取得するステップと、
システムフレーム番号ＳＦＮ、取得された前記通知周期及び通知受信タイミングオフセットにより、前記ＭＣＣＨ変更通知の送信タイミングを取得するステップと
を含むことを特徴とする請求項２１記載のマルチキャスト制御チャネル変更通知の送信方法。
【請求項２３】
ＳＦＮ、取得された通知周期及び通知受信タイミングオフセットにより、前記ＭＣＣＨ変更通知の送信タイミングを取得するステップは、
前記通知周期が最大システムフレーム番号ＭａｘＳＦＮより小さいか等しい場合、前記基地局は前記ＳＦＮと前記通知周期とに対して剰余演算を実行して、得られた結果が前記通知受信タイミングオフセットに等しい場合、前記基地局はシステムフレームの指定サブフレームの位置を前記ＭＣＣＨ変更通知の送信タイミングにするステップ
を含むことを特徴とする請求項２１記載のマルチキャスト制御チャネル変更通知の送信方法。
【請求項２４】
ＳＦＮ、取得された通知周期及び通知受信タイミングオフセットにより、前記ＭＣＣＨ変更通知の送信タイミングを取得するステップは、
前記通知周期がＭａｘＳＦＮより大きい場合、前記基地局は前記ＳＦＮと前記通知周期とに対して剰余演算を実行し、(ｎ＊ＭａｘＳＦＮ＋ＳＦＮ)ｍｏｄ通知周期＝通知受信タイミングオフセットを満足する場合、前記基地局はＳＦＮ拡張倍数がｎであるＳＦＮ周期のシステムフレームの指定サブフレームの位置を前記ＭＣＣＨ変更通知の送信タイミングにするステップ
を含むことを特徴とする請求項２１記載のマルチキャスト制御チャネル変更通知の送信方法。
【請求項２５】
前記一つのＭＣＣＨ修正周期内で前記送信タイミングによりユーザー端末に対して前記ＭＣＣＨ変更通知を少なくともＮ回送信するステップは、
前記基地局が一つ又は複数の予め設定された通知送信窓を取得し、前記システムフレームの指定サブフレームの位置から、前記通知送信窓内のサブフレーム又はＭＢＳＦＮ（Ｍｕｌｔｉｃａｓｔ／Ｂｒｏａｄｃａｓｔ  ｏｖｅｒ  Ｓｉｎｇｌｅ  Ｆｒｅｑｕｅｎｃｙ  Ｎｅｔｗｏｒｋ，マルチキャスト／ブロードキャスト単一周波数ネットワークサブフレーム）により、前記ＭＣＣＨ変更通知を少なくともＮ回送信するステップを含み、
前記通知送信窓のサイズＫの値は前記通知送信窓内のサブフレーム個数又はＭＢＳＦＮサブフレーム個数であり、前記Ｋの値はＮより小さいか等しく、かつ、１より大きいか等しい
ことを特徴とする請求項２３又は２４記載のマルチキャスト制御チャネル変更通知の送信方法。
【請求項２６】
前記基地局がＭＣＣＨ変更通知の送信タイミングを取得するステップは、
前記基地局はＭＣＣＨ重複周期と前記通知周期とに対して剰余演算を実行し、（ｍ＊ＭＣＣＨ重複周期）ｍｏｄ通知周期＝通知受信タイミングオフセットを満足する場合、前記基地局はｍ番目のＭＣＣＨ重複周期の初期タイミングを前記ＭＣＣＨ変更通知の送信タイミングにするステップを含み、
そのうち、前記ｍはＭＣＣＨ重複周期カウンターである
ことを特徴とする請求項２２記載のマルチキャスト制御チャネル変更通知の送信方法。
【請求項２７】
前記一つのＭＣＣＨ修正周期内で前記送信タイミングによりユーザー端末に対して前記ＭＣＣＨ変更通知を少なくともＮ回送信するステップは、
前記基地局は次のＭＣＣＨ修正境界の前にある少なくともＮ個のＭＣＣＨ変更通知の送信タイミングで、ＰＤＣＣＨにより前記ＭＣＣＨ変更通知を送信するステップを含み、
前記Ｎの値は前記次のＭＣＣＨ修正境界の前にあるＭＣＣＨ変更通知の送信タイミングの個数より小さいか等しい
ことを特徴とする請求項２１記載のマルチキャスト制御チャネル変更通知の送信方法。
【請求項２８】
Ｎの値は下記の式で設定され、
Ｎ＝最短ＭＣＣＨ修正周期／ＭＣＣＨ変更通知の重複周期
そのうち、前記ＭＣＣＨ変更通知の重複周期は一つのＭＣＣＨ修正周期内で、前記ＭＣＣＨ変更通知を繰り返して送信する最短時間間隔である
ことを特徴とする請求項２１記載のマルチキャスト制御チャネル変更通知の送信方法。
【請求項２９】
ＭＣＣＨ変更通知の送信タイミングを取得するタイミング取得手段と、
一つのＭＣＣＨ修正周期内で、前記タイミング取得手段で取得された送信タイミングにより、ユーザー端末に対して前記ＭＣＣＨ変更通知を少なくともＮ回送信する通知送信手段と、
を有し、前記Ｎは予め設定された前記ＭＣＣＨ変更通知の送信回数である
ことを特徴とするマルチキャスト制御チャネル変更通知の送信装置。
【請求項３０】
前記タイミング取得手段は
前記ＭＣＣＨ変更通知の通知周期と通知受信タイミングオフセットとを取得し、
ＳＦＮ（Ｓｙｓｔｅｍ  Ｆｒａｍｅ  Ｎｕｍｂｅｒ，システムフレーム番号）、取得された前記通知周期及び前記通知受信タイミングオフセットにより、前記ＭＣＣＨ変更通知の送信タイミングを取得する
ことを特徴とする請求項２９記載のマルチキャスト制御チャネル変更通知の送信装置。
【請求項３１】
前記タイミング取得手段は
前記通知周期が最大システムフレーム番号ＭａｘＳＦＮより小さいか等しい場合、前記ＳＦＮと前記通知周期とに対して剰余演算を実行し、得られた結果が前記通知受信タイミングオフセットに等しい場合、前記システムフレームの指定サブフレームの位置を前記ＭＣＣＨ変更通知の送信タイミングにする
ことを特徴とする請求項３０記載のマルチキャスト制御チャネル変更通知の送信装置。
【請求項３２】
前記タイミング取得手段は、
前記通知周期がＭａｘＳＦＮより大きい場合、前記ＳＦＮと前記通知周期とに対して剰余演算を実行し、(ｎ＊ＭａｘＳＦＮ＋ＳＦＮ)ｍｏｄ通知周期＝通知受信タイミングオフセットを満足する場合、ＳＦＮ拡張倍数がｎであるＳＦＮ周期の前記システムフレームの指定サブフレームの位置を前記ＭＣＣＨ変更通知の送信タイミングにする
ことを特徴とする請求項３０記載のマルチキャスト制御チャネル変更通知の送信装置。
【請求項３３】
前記通知送信手段は
一つ又は複数の予め設定された通知送信窓を取得し、前記システムフレームの指定サブフレームの位置から、前記通知送信窓内のサブフレーム又はＭＢＳＦＮ（Ｍｕｌｔｉｃａｓｔ／Ｂｒａｏａｄｃａｓｔ  ｏｖｅｒ  Ｓｉｎｇｌｅ  Ｆｒｅｑｕｅｎｃｙ  Ｎｅｔｗｏｒｋ，マルチキャスト／ブロードキャスト単一周波数ネットワーク）サブフレームにより、前記ＭＣＣＨ変更通知を少なくともＮ回送信し、
前記通知送信窓のサイズＫの値は前記通知送信窓内のサブフレーム個数又はＭＢＳＦＮサブフレーム個数であり、前記Ｋの値はＮより小さいか等しく、かつ、１より大きいか等しい
ことを特徴とする請求項３１又は３２記載のマルチキャスト制御チャネル変更通知の送信装置。
【請求項３４】
前記タイミング取得手段は又、
ＭＣＣＨ重複周期と前記通知周期とに対して剰余演算を実行し、（ｍ＊ＭＣＣＨ重複周期）ｍｏｄ通知周期＝通知受信タイミングオフセットを満足する場合、ｍ番目のＭＣＣＨ重複周期の初期タイミングを前記ＭＣＣＨ変更通知の送信タイミングにし、
そのうち、ｍはＭＣＣＨ重複周期カウンターである、
ことを特徴とする請求項３１記載のマルチキャスト制御チャネル変更通知の送信装置。
【請求項３５】
前記通知送信手段は又、
次のＭＣＣＨ修正境界の前にある少なくともＮ個のＭＣＣＨ変更通知の送信タイミングで、ＰＤＣＣＨにより前記ＭＣＣＨ変更通知を送信し、
前記Ｎの値は前記次のＭＣＣＨ修正境界の前にあるＭＣＣＨ変更通知の送信タイミングの個数より小さいか等しい
ことを特徴とする請求項３０記載のマルチキャスト制御チャネル変更通知の送信装置。
【請求項３６】
Ｎの値は下記の式で設定され、
Ｎ＝最短ＭＣＣＨ修正周期／ＭＣＣＨ変更通知の重複周期
そのうち、前記ＭＣＣＨ変更通知の重複周期は一つのＭＣＣＨ修正周期内で、前記ＭＣＣＨ変更通知を繰り返して送信する最短時間間隔である
ことを特徴とする請求項２９記載のマルチキャスト制御チャネル変更通知の送信装置。
【発明の詳細な説明】
【技術分野】
【０００１】
本発明は通信領域に関し、特にマルチキャスト制御チャネル変更通知の受信方法及びユーザー端末に関する。
【背景技術】
【０００２】
ＭＣＣＨ（Ｍｕｌｔｉｃａｓｔ  Ｃｏｎｔｒｏｌ  Ｃｈａｎｎｅｌ、マルチキャスト制御チャネル）はｅＭＢＭＳ（Ｅｖｏｌｖｅｄ  Ｍｕｌｔｉｍｅｄｉａ  Ｂｒｏａｄｃａｓｔ  ａｎｄ  Ｍｕｌｔｉｃａｓｔ  Ｓｅｒｖｉｃｅ、進化型マルチメディアブロードキャストとマルチキャストサービス）システムにおける一対多のダウンリンクチャネルであり、ネットワーク側からＵＥ（Ｕｓｅｒ  Ｅｑｕｉｐｍｅｎｔ、ユーザー端末）への制御情報を伝送する。当該制御情報は主にｅＭＢＭＳサービス情報と無線ベアラ関連情報を含む。そのうち、ｅＭＢＭＳサービス情報はユーザー端末が所在するセルで受けられるｅＭＢＭＳサービスを示す。各ｅＭＢＭＳサービスにおいて、ｅＭＢＭＳサービス情報はサービスＩＤ（サービス識別子）、セッションＩＤ（セッション識別子）及び無線ベアラ解放指示情報などを含むことができる。無線ベアラ関連情報は一種又は複数種のｅＭＢＭＳが受信できるセルに使用される無線ベアラと一対多ベアラ情報であり（、各ｅＭＢＭＳサービスにおいて、無線ベアラ関連情報は、サービスＩＤ、物理チャネル情報、伝送チャネル情報及び無線ベアラ情報などを含められる。
【０００３】
ネットワーク側はＢＣＣＨ（Ｂｒｏａｄｃａｓｔ  Ｃｏｎｔｒｏｌ  Ｃｈａｎｎｅｌ、ブロードキャスト制御チャネル）でＭＣＣＨの位置情報を指示する。異なるユーザー端末が異なる位置情報を対応するため、ユーザー端末は指示された位置により、ＭＣＣＨで伝送される情報を読み取り、ＭＣＣＨで伝送される制御情報により対応するサービス情報を取得する。
【０００４】
ＭＣＣＨにおいては、Ｍｏｄｉｆｉｃａｔｉｏｎ  ｐｅｒｉｏｄ（修正周期）とＲｅｐｅｔｉｔｉｏｎ  Ｐｅｒｉｏｄ（重複周期）が定義されている。Ｍｏｄｉｆｉｃａｔｉｏｎ  ｐｅｒｉｏｄはＲｅｐｅｔｉｔｉｏｎ  Ｐｅｒｉｏｄの整数倍であり、Ｍｏｄｉｆｉｃａｔｉｏｎ  ｐｅｒｉｏｄ毎に、ＭＣＣＨの伝送内容はＲｅｐｅｔｉｔｉｏｎ  Ｐｅｒｉｏｄにより繰り返して送信され、又、一つのＭｏｄｉｆｉｃａｔｉｏｎ  ｐｅｒｉｏｄ内で内容の変更ができない。即ち、ＭＣＣＨの伝送情報に変更が生じた場合、次のＭｏｄｉｆｉｃａｔｉｏｎ  ｐｅｒｉｏｄが開始してから、変更された情報が送信できるようになる。同一Ｍｏｄｉｆｉｃａｔｉｏｎ  ｐｅｒｉｏｄ内のＭＣＣＨ伝送内容はＲｅｐｅｔｉｔｉｏｎ  Ｐｅｒｉｏｄにより繰り返して送信されるため、同一Ｍｏｄｉｆｉｃａｔｉｏｎ  ｐｅｒｉｏｄ内でＵＥはＭＣＣＨの伝送内容を読み取った後、ＭＣＣＨ上の情報をモニターしなくなる。
【０００５】
ＭＣＣＨの伝送情報、例えば、ｅＭＢＭＳサービス、又は無線ベアラ情報などが変更された場合、ネットワーク側はＭＣＣＨ上の変更後の新しい情報をタイムリーに取得するようにユーザー端末に通知する必要がある。即ち、ネットワーク側はユーザー端末に対してＭＣＣＨ変更通知を送信する必要があり、ユーザー端末はＭＣＣＨ変更通知を受信した後、ＭＣＣＨをモニターし、変更後の新しい情報を取得する。
【発明の開示】
【発明が解決しようとする課題】
【０００６】
従来技術において、ネットワーク側は以下の二つの方法でユーザー端末にＭＣＣＨ変更通知を送信する。
【０００７】
従来技術の方法１：ユーザー端末に送信するｐａｇｉｎｇ（ページング）メッセージにＭＣＣＨ変更通知が含まれる。
【０００８】
具体的に、従来技術において、ｅＭＢＭＳシステムにおけるユーザー端末はｅＭＢＭＳサービスを受信するユーザー端末と、ユニキャストサービスのみを受信するユーザー端末の２種類がある。この２種のユーザー端末は各自のページング周期によりｐａｇｉｎｇ情報をモニターする。ＭＣＣＨ上の伝送情報が変更された場合、ネットワーク側はＭＣＣＨ変更通知指示を含むページングメッセージ一つをユーザー端末に送信し、対応するＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）では、当該ページングメッセージに対応するＰ−ＲＮＴＩが送信される。そして、ユーザーはＰ−ＲＮＴＩを検出した後、ページングメッセージを受信し、又、当該Ｐ−ＲＮＴＩによりページングメッセージを解析し、ＭＣＣＨ変更通知を取得し、当該ＭＣＣＨ変更通知により変更後のＭＣＣＨ伝送情報を読み取る。
【０００９】
例えば、ＭＣＣＨのＭｏｄｉｆｉｃａｔｉｏｎ  ｐｅｒｉｏｄが１０２４０ミリ秒（ｍｓ）であり、ある端末のページング周期が３２０ミリ秒であると仮定した場合、即ち、端末は３２０ミリ秒を周期としてｐａｇｉｎｇ情報を受信するため、１つのＭｏｄｉｆｉｃａｔｉｏｎ  ｐｅｒｉｏｄに対応する時間帯はＭＣＣＨ変更を通知できるページング周期３２個を含んでいる。
【００１０】
しかしながら、ＭＣＣＨ変更通知はｅＭＢＭＳシステム内の全部ユーザー端末に対して送信され、即ち、ネットワーク側はｅＭＢＭＳサービスの受信ユーザー端末とユニキャストサービスのみを受信するユーザー端末を区別しない。そのため、ユニキャストサービスのみを受信するユーザー端末はＰ−ＲＮＴＩを検出した後、同様にＭＣＣＨ変更通知を含むｐａｇｉｎｇ情報パケットを解析する。そうすると、確実なページングメッセージではなく、ＭＣＣＨ変更通知のみを含む情報パケットであるという解析結果にもなり得る。しかし、ユニキャストサービスのみを受信するユーザー端末はそのようなページング情報パケットを要らないため、この方法はユニキャストサービスのみを受信するユーザー端末の性能を低下してしまった。
【００１１】
従来技術の方法２：ＰＤＣＣＨでＭＣＣＨ変更通知を伝送する。
【００１２】
ＭＣＣＨの伝送情報に変更が生じた場合、ネットワーク側はページング・オケイジョン（ｐａｇｉｎｇ  ｏｃｃａｓｉｏｎ）でＰＤＣＣＨにより特定のＲＮＴＩ（Ｒａｄｉｏ  Ｎｅｔｗｏｒｋ  Ｔｅｍｐｏｒａｒｙ  Ｉｄｅｎｔｉｆｉｅｒ、無線ネットワーク一仮識別子）、例えば、Ｍ−ＲＮＴＩ（Ｍｕｌｔｉｍｅｄｉａ−Ｒａｄｉｏ  Ｎｅｔｗｏｒｋ  Ｔｅｍｐｏｒａｒｙ  Ｉｄｅｎｔｉｆｉｅｒ、マルチメディア無線ネットワーク一仮識別子）を送信する。ｅＭＢＭＳサービスを受信するユーザー端末は、自身のページング周期により目を覚まし、ＰＤＣＣＨにおける特定ＲＮＴＩ（例えば、Ｍ−ＲＮＴＩ）をモニターする。ＰＤＣＣＨでＭ−ＲＮＴＩを検出すれば、ＭＣＣＨの伝送情報が変更されたことを示し、ユーザー端末はＭＣＣＨを更にモニターして、新しい情報を取得する。
【００１３】
しかし、ＰＤＣＣＨ領域が限定されたため、ネットワーク側はユーザー端末のページング・オケイジョン（ｐａｇｉｎｇ  ｏｃｃａｓｉｏｎ）でユーザー端末に特定のＲＮＴＩを送信すると同時に、例えば、ＲＡ−ＲＮＴＩ、ＳＩ−ＲＮＴＩ及びＰ−ＲＮＴＩなど他のネットワーク識別子も送信しなければならない。そのため、ＰＤＣＣＨ上の情報が多すぎるようになり、特定ＲＮＴＩの誤処理が発生し、ユーザー端末はそれを正しく検出できず、ＭＣＣＨ上の変更内容を見落としたりして、Ｅ−ＭＢＭＳサービスを正しく受信できなくなる恐れがある。同時に、異なるユーザー端末のページング・オケイジョン（ｐａｇｉｎｇ  ｏｃｃａｓｉｏｎ）が異なるため、基地局は特定のＲＮＴＩを頻繁的に繰り返して送信する必要があり、通知の効率性が低かった。
【課題を解決するための手段】
【００１４】
本発明は、以上のような課題にかんがみてなされたものであり、本発明者らは、鋭意研究の結果、ユーザー端末側のＭＣＣＨ変更通知の受信効率を向上し、過多のＰＤＣＣＨ上のネットワーク識別子によるシステム性能の低下を抑えられ、または、チャネル条件の原因でＭＣＣＨ変更通知を正しく受信できない確率を低下し、ユーザー端末が変更されたＭＣＣＨ内容をタイムリーに受信できるマルチキャスト制御チャネル変更通知の受信方法とユーザー端末を提供することに成功した。
【００１５】
また、本発明の実施形態は、ＭＣＣＨ変更通知の送信効率を向上することにより、ＰＤＣＣＨ上のＭＣＣＨ変更通知の送信信頼性を高め、又、変更されたＭＣＣＨ内容を受信するようにユーザー端末にタイムリーに通知できるマルチキャスト制御チャネル変更通知の送信方法と装置を提供する。
【００１６】
本発明の実施形態に係るマルチキャスト制御チャネルＭＣＣＨ変更通知の受信方法は、
ユーザー端末がＭＣＣＨ変更通知の送信タイミングを取得するステップと、
一つのＭＣＣＨ修正周期内でＭＣＣＨ変更通知を受信できなかった場合、ユーザー端末が前記ＭＣＣＨ変更通知の送信タイミングにより前記ＭＣＣＨ変更通知をＮ回受信するステップとを含み、前記Ｎは予め設定された前記ＭＣＣＨ変更通知の受信回数である。
【００１７】
本発明の実施形態に係るユーザー端末は、
ＭＣＣＨ変更通知の送信タイミングを取得するタイミング取得ユニットと、
一つのＭＣＣＨ修正周期内でＭＣＣＨ変更通知を受信できなかった場合、前記ＭＣＣＨ変更通知の送信タイミングにより前記ＭＣＣＨ変更通知をすくなくともＮ回受信する通知受信ユニットとを有し、前記Ｎは予め設定された前記ＭＣＣＨ変更通知の受信回数である。
【００１８】
本発明の実施形態に係るマルチキャスト制御チャネルＭＣＣＨ変更通知の送信方法は、
基地局がＭＣＣＨ変更通知の送信タイミングを取得するステップと、
一つのＭＣＣＨ修正周期内で、前記送信タイミングによりユーザー端末に前記ＭＣＣＨ変更通知をすくなくともＮ回送信するステップとを含み、前記Ｎは予め設定された前記ＭＣＣＨ変更通知の送信回数である。
【００１９】
本発明の実施形態に係るマルチキャスト制御チャネルＭＣＣＨ変更通知の送信装置は、
ＭＣＣＨ変更通知の送信タイミングを取得するタイミング取得ユニットと、
一つのＭＣＣＨ修正周期内で、前記タイミング取得ユニットで取得された送信タイミングにより、ユーザー端末に前記ＭＣＣＨ変更通知をすくなくともＮ回送信するステップとを含み、前記Ｎは予め設定された前記ＭＣＣＨ変更通知の送信回数である。
【発明の効果】
【００２０】
従来技術と比較すれば、本発明は少なくとも以下の利点を有する。
本発明では、基地局とユーザー端末は同様なＭＣＣＨ変更通知の送信タイミングを取得し、又、基地局は一つのＭＣＣＨ修正周期内で、当該時間によりユーザー端末にＭＣＣＨ変更通知をすくなくともＮ回送信し、ユーザー端末は一つのＭＣＣＨ修正周期内でＭＣＣＨ変更通知を受信できなかった場合、当該時間によりＭＣＣＨ変更通知をすくなくともＮ回受信する。これによれ、本発明はＭＣＣＨ変更通知の送信受信効率を向上し、悪いチャネル条件又は他の原因により起きる端末が当該通知を受信できない確率が低減できるようになり、又、当該送信タイミングはユーザー端末のページング・オケイジョン（ｐａｇｉｎｇ  ｏｃｃａｓｉｏｎ）を回避できるため、ＰＤＣＣＨ上の過多のネットワーク識別子のためにＭＣＣＨ変更通知が誤って処理される確率が低減できるようになる。
【図面の簡単な説明】
【００２１】
【図１】本発明の実施形態に係るマルチキャスト制御チャネル変更通知の送信方法のフローを示す図である。
【図２】本発明の実施形態に係るマルチキャスト制御チャネル変更通知の受信方法のフローを示す図である。
【図３】本発明の実施形態に係るユーザー端末のＭＣＣＨ変更通知の取得フローを示す図である。
【図４】図３に対応するＭＣＣＨ変更通知の送信メカニズムのイメージを示す図である。
【図５】本発明の実施形態に係るユーザー端末のＭＣＣＨ変更通知の取得フローを示す図である。
【図６】図５に対応するＭＣＣＨ変更通知の送信メカニズムのイメージを示す図である。
【図７】本発明の実施形態に係るユーザー端末のＭＣＣＨ変更通知の取得フローを示す図である。
【図８】図７に対応するＭＣＣＨ変更通知の送信メカニズムのイメージを示す図である。
【図９】本発明の実施形態に係るユーザー端末のＭＣＣＨ変更通知の取得フローを示す図である。
【図１０】図９に対応するＭＣＣＨ変更通知の送信メカニズムのイメージを示す図である。
【図１１】本発明の実施形態に係るマルチキャスト制御チャネル変更通知の送信装置の構造イメージを示す図である。
【図１２】本発明の実施形態に係るユーザー端末の構造イメージを示す図である。
【発明を実施するための形態】
【００２２】
以下は本発明の実施形態の図面に結合し、本発明の実施形態に係る技術案を明確且つ完全に説明する。無論、説明する実施形態は本発明の一部にすぎず、全部の実施形態ではないことがわかるべきである。本発明に説明された実施形態に基づき、本技術分野の通常の知識を有する技術者が創造能力を発揮せずに取得する他の実施形態も全て本発明の範囲内と見なされるべきである。
【００２３】
基地局とユーザー端末がＰＤＣＣＨにより送信されるＭＣＣＨ変更通知の送信タイミングの取得方式を約束し、ユーザー端末が当該時間に基地局より送信されるＭＣＣＨ変更通知をすくなくともＮ回受信し、又、当該ＭＣＣＨ変更通知によりＭＣＣＨ上の新しい情報を取得することは、本発明に係る実施形態の核心思想である。基地局からＰＤＣＣＨにより送信されたＭＣＣＨ変更通知の送信タイミングは、全てのユーザー端末に対して同一であるため、基地局はＭＣＣＨ修正周期内で、ＭＣＣＨ変更通知をＮ回だけ送信すれば、全てのユーザー端末はこのＭＣＣＨの変更通知を取得できるようになり、かえって全てのユーザー端末のページング・オケイジョン（ｐａｇｉｎｇ  ｏｃｃａｓｉｏｎ）によりＭＣＣＨ変更通知を送信する必要がなくなり、ＭＣＣＨ変更通知の送信効率が向上できるようになる。又、約束された取得方式でＭＣＣＨ変更通知の送信タイミングを取得することは、ユーザー端末のページング・オケイジョン（ｐａｇｉｎｇ  ｏｃｃａｓｉｏｎ）を回避でき、過多のＰＤＣＣＨ上のネットワーク識別子で起きたＭＣＣＨ変更通知dの誤処理確率を低減できる。
【００２４】
本発明の実施形態において、基地局はＰＤＣＣＨによりＭＣＣＨ変更通知の通知周期（Ｎｏｔｉｆｉｃａｔｉｏｎ  Ｐｅｒｉｏｄ）、通知受信タイミングオフセット（Ｎｏｔｉｆｉｃａｔｉｏｎ  Ａｌｌｏｃａｔｉｏｎ  Ｏｆｆｓｅｔ）及び通知を送信するサブフレームの具体的な位置をユーザー端末に送信でき、そして、ユーザー端末は受信された通知周期と通知受信タイミングオフセットによりＭＣＣＨ変更通知の送信タイミングを計算する。ここで、通知周期又は通知受信タイミングオフセットは基地局から端末へ送信されるものであっても良く、又は、システムや規範で直接に規定されたるが、あるいは、他のシステムで規定されるパラメータにより算出したものであっても良い。また、基地局はＭＣＣＨ変更通知の送信タイミングについて予め端末と約束することもできる。後続基地局は約束された送信タイミングによりＭＣＣＨ変更通知を送信し、ユーザー端末は約束された送信タイミングによりＭＣＣＨ変更通知を受信する。
【００２５】
本発明の実施形態に係るマルチキャスト制御チャネル変更通知の送信方法は図１に示すように、ステップ１０１と、ステップ１０２とを含む。
【００２６】
ステップ１０１：基地局は前記ＭＣＣＨ変更通知の送信タイミングを取得する。
【００２７】
基地局は予めＭＣＣＨ変更通知の送信タイミングについて端末と約束できる。その場合、基地局は直接に約束された送信タイミングによりＭＣＣＨ変更通知を送信すれば良い。又は、基地局は予めＭＣＣＨ変更通知の通知周期、通知受信タイミングオフセット及びＭＣＣＨ変更通知の送信システムフレームの指定サブフレームの位置をユーザー端末に通知することもできる。ユーザー端末は基地局より通知された上述内容によりＭＣＣＨ変更通知の送信タイミングを取得する。ここで、当該サブフレームの位置は基地局からＵＥへ下り伝送されるパラメータであっても良いし、又は、システムで明確に規定されたある特定のパラメータであっても良く、更に、システムで規定された計算方法などの関連方法で取得されるものであっても良い。
【００２８】
ステップ１０２：前記基地局は一つのＭＣＣＨ修正周期内で、前記送信タイミングによりユーザー端末に対して前記ＭＣＣＨ変更通知をすくなくともＮ回送信し、前記Ｎは予め設定された前記ＭＣＣＨ変更通知の送信回数である。
【００２９】
本発明の実施形態に係るマルチキャスト制御チャネル変更通知の受信方法は図２に示すように、ステップ２０１と、ステップ２０２とを含む。
【００３０】
ステップ２０１：前記ＭＣＣＨ変更通知の送信タイミングを取得する。
【００３１】
ユーザー端末は予めＭＣＣＨ変更通知の送信タイミングについて基地局と約束できるので、ユーザー端末は直接に約束された送信タイミングによりＭＣＣＨ変更通知を送信すれば良い。或いは、ユーザー端末は先ず、基地局より通知されるＭＣＣＨ変更通知の通知周期、通知受信タイミングオフセット及びＭＣＣＨ変更通知の送信システムフレームの指定サブフレームの位置を受信し、その後、基地局より通知された上述内容により、ＭＣＣＨ変更通知の送信タイミングを取得しても良い。ここで、当該サブフレームの位置は基地局からユーザー端末へ下り伝送されるパラメータであっても良いし、又は、システムで明確に規定されたある特定のパラメータであっても良く、更に、システムで規定された計算方法などの関連方法で取得されるものであっても良い。
【００３２】
ステップ２０２：一つのＭＣＣＨ修正周期内でＭＣＣＨ変更通知を受信できなかった場合、前記ＭＣＣＨ変更通知の送信タイミングにより、前記ＭＣＣＨ変更通知をすくなくともＮ回受信する。
【００３３】
本発明の実施形態において、Ｎの具体的な値は実際に応じて予め設定する必要がある。例えば、以下の方式でＮの値を設定できるがそれとは限らない。
Ｎ＝最短ＭＣＣＨ修正周期／ＭＣＣＨ変更通知の重複周期
【００３４】
ここで、ＭＣＣＨ変更通知の重複周期は一つのＭＣＣＨ修正周期内でＭＣＣＨ変更通知を繰り返して送信する最短時間間隔であり、最短ＭＣＣＨ修正周期は当該基地局／セルをカバーする複数のＭＢＳＦＮ領域内の対応する最短ＭＣＣＨ送信周期である。
【００３５】
以下は具体的な実施形態に結合して本発明に係るマルチキャスト制御チャネル変更通知の送信方法と受信方法を説明する。
【００３６】
ここで、本発明の実施形態における基地局からユーザー端末に通知する通知周期は、実際に応じて柔軟に設定できる。特に、システムでは、ＭＣＣＨ変更通知の通知周期がシステムのページング周期に等しく、又はＭＣＣＨの修正周期に等しく、又は他のシステムで規定されている周期に等しく、更に又はそれらの周期の倍数に等しいと明確に規定されている場合、ユーザー端末と基地局はシステムの規定によりＭＣＣＨ変更通知の通知周期を取得する。その場合、ＭＣＣＨ変更通知の通知周期のパラメータはユーザー端末に通知する必要がない。通知受信タイミングオフセットは実際に応じて柔軟に設置できる。例えば、０、１又は２に設定できる。システムで通知受信タイミングオフセットを設定していない場合、当該パラメータのデフォルト値は０である。本応用において、基地局は又、通知送信窓（Ｎｏｔｉｆｉｃａｔｉｏｎ  Ｔｒａｎｓｍｉｓｓｉｏｎ  Ｗｉｎｄｏｗ、通知受信窓Ｎｏｔｉｆｉｃａｔｉｏｎ  Ｒｅｃｅｐｔｉｏｎ  Ｗｉｎｄｏｗ））とも呼ぶ、又は（をユーザー端末に通知できる。通知送信窓は一連の連続したサブフレームであり、例えば、ＭＢＳＦＮ（Ｍｕｌｔｉｃａｓｔ／Ｂｒｏａｄｃａｓｔ  ｏｖｅｒ  Ｓｉｎｇｌｅ  Ｆｒｅｑｕｅｎｃｙ  Ｎｅｔｗｏｒｋ、マルチキャスト／ブロードキャスト単一周波数ネットワーク）サブフレームであっても良い。基地局とユーザー端末はそれぞれと当該通知送信窓内のサブフレームにより、ＭＣＣＨ変更通知を送信・受信し、又、基地局とユーザー端末は約束した取得方式で通知周期内のＭＣＣＨ変更通知の送信タイミングを算出する。基地局とユーザー端末はそれぞれと当該タイミングでＭＣＣＨ変更通知を送信・受信する。通知送信窓のサイズはＫであり、Ｋの具体的な値は通知送信窓内のサブフレーム個数又はＭＢＳＦＮサブフレーム個数であり、Ｎより小さいか等しく、かつ、１より大きいか等しい。
【００３７】
同時に、システムで指定されるＭＣＣＨ変更通知の送信サブフレームの位置は、基地局からＵＥへ下り伝送されるパラメータであっても良いし、システムで明確に規定された、基地局と端末の両方がシステム規範により同じく理解できるある特定のパラメータであっても良く、更に、システムで規定された計算方法などの関連方法で取得されるものであっても良い。
【００３８】
本発明の実施形態に係る通知送信タイミングの取得方式は、通知周期とユーザー端末のシステムフレーム番号（ＳＦＮ、Ｓｙｓｔｅｍ  Ｆｒａｍｅ  Ｎｕｍｂｅｒ）周期（Ｃｙｃｌｅ）との大小関係により変更する必要がある。ここで、ＳＦＮは０から１０２３までの値にするが、１０ｍｓから１０２４０ｍｓまでの時間を表示し、即ち、最大システムフレーム番号（Ｍａｘ  ＳＦＮ）は１０.２４秒であるＳＦＮ  ｃｙｃｌｅの長さである。通知周期はＳＦＮ  ｃｙｃｌｅより大きいか、短いか、又はＳＦＮ  ｃｙｃｌｅに等しい可能性がある。
【００３９】
以下、通知周期がＭａｘ  ＳＦＮ（即ち、ＳＦＮ  ｃｙｃｌｅ）より小さいか又は等しい場合を説明する。
【００４０】
この場合、ユーザー端末は又、以下の２種の方式でＭＣＣＨ変更通知を取得できるが、先ず、方式１を説明する。図３と図４に示すように、ステップ３０１、ステップ３０２、ステップ３０３とを含む。
【００４１】
ステップ３０１：基地局は自身がＰＤＣＣＨにより送信するＭＣＣＨ変更通知の通知周期、通知受信タイミングオフセット及び通知送信窓をユーザー端末に通知し、又、ＭＣＣＨ変更通知送信タイミングの取得方式についてユーザー端末と約束する。
【００４２】
ここで、通知周期がＭａｘ  ＳＦＮより小さいか等しい場合、ＭＣＣＨ変更通知の送信タイミング取得方式は式（１）で表示できる。
ＳＦＮ  ｍｏｄ  ＮｏｔｉｆｉｃａｔｉｏｎＰｅｒｉｏｄ  ＝  ＮｏｔｉｆｉｃａｔｉｏｎＡｌｌｏｃａｔｉｏｎＯｆｆｓｅｔ；      式（１）
【００４３】
そのうち、ＳＦＮは現在のシステムフレーム番号、ＮｏｔｉｆｉｃａｔｉｏｎＰｅｒｉｏｄは通知周期、ＮｏｔｉｆｉｃａｔｉｏｎＡｌｌｏｃａｔｉｏｎＯｆｆｓｅｔは通知受信タイミングオフセットであり、デフォルト値は０にする。
【００４４】
上述式を満足するＳＦＮ内の指定サブフレームの位置は、基地局のＭＣＣＨ変更通知の送信タイミングである。
【００４５】
ステップ３０２：基地局はＭＣＣＨ変更通知の送信タイミングを計算し、当該タイミングでＰＤＣＣＨによりユーザー端末に対してＭＣＣＨ変更通知を送信し、又、当該時間から通知窓内のサブフレームによりユーザー端末に対してＭＣＣＨ変更通知を繰り返して送信する。
【００４６】
具体的に、基地局は上記式（１）により計算し、式（１）を満足する時間及び対応するＳＦＮを取得し、当該時間にＰＤＣＣＨによりＭＣＣＨ変更通知を送信し、又、送信窓内の全てのサブフレームによりユーザー端末に対してＭＣＣＨ変更通知を繰り返して送信する。一つのＭＣＣＨ修正周期内で、基地局は算出したＭＣＣＨ変更通知を送信する送信タイミングにより、通知送信窓によりユーザー端末に対してＭＣＣＨ変更通知をすくなくともＮ回送信する。当該送信タイミングは具体的にシステムフレームの指定サブフレームの位置であり、通知送信窓のサイズＫの具体的な値は、通知送信窓内のサブフレーム個数又はＭＢＳＦＮサブフレーム個数であり、前記Ｋの値はＮより小さいか等しく、かつ、１より大きいか等しい。
【００４７】
ステップ３０３：ユーザー端末は式（１）で基地局のＭＣＣＨ変更通知の送信タイミングを計算し、当該タイミングからＰＤＣＣＨと通知送信窓内のサブフレームをモニターし、基地局より送信されるＭＣＣＨ変更通知を取得する。
【００４８】
具体的に、ユーザー端末は基地局より送信されるＭＣＣＨ変更通知を一回正しく受信した後、通知送信窓内の他のサブフレームをモニターしなくなる。
【００４９】
ユーザー端末は方式２でＭＣＣＨ変更通知を取得する過程は図５と図６の示したように、ステップ５０１、ステップ５０２、ステップ５０３を含む。
【００５０】
ステップ５０１：基地局は自身がＰＤＣＣＨにより送信するＭＣＣＨ変更通知の通知周期、通知受信タイミングオフセットをユーザー端末に通知し、又、ＭＣＣＨ変更通知送信タイミングの取得方式についてユーザー端末と約束する。
【００５１】
具体的に、ＭＣＣＨ変更通知の送信タイミング取得方式はステップ２０１における取得方式と同一で、式（１）で示す。
ＳＦＮ  ｍｏｄ  ＮｏｔｉｆｉｃａｔｉｏｎＰｅｒｉｏｄ＝ＮｏｔｉｆｉｃａｔｉｏｎＡｌｌｏｃａｔｉｏｎＯｆｆｓｅｔ；      （１）
【００５２】
ここで、ＳＦＮは現在のシステムフレーム番号、ＮｏｔｉｆｉｃａｔｉｏｎＰｅｒｉｏｄは通知周期、ＮｏｔｉｆｉｃａｔｉｏｎＡｌｌｏｃａｔｉｏｎＯｆｆｓｅｔは通知受信タイミングオフセットであり、デフォルト値は０にする。
【００５３】
ステップ５０２：基地局はＭＣＣＨ変更通知の送信タイミングを計算し、通知周期内のＭＣＣＨ修正境界の前の通知送信タイミングに、ユーザー端末に対してＭＣＣＨ変更通知を送信する。
【００５４】
具体的に、次のＭＣＣＨ修正境界は、現在のＭＣＣＨ修正周期と次のＭＣＣＨ修正周期の間の境界を指す。基地局は各通知周期内でユーザー端末に対してＭＣＣＨ変更通知を一回送信する。一つのＭＣＣＨ修正周期内で、基地局は計算で得られるＭＣＣＨ変更通知の送信タイミングにより、ユーザー端末に対してＭＣＣＨ変更通知をＮ回送信し、Ｎの具体的な値は次のＭＣＣＨ修正境界の前にある通知送信タイミングの個数より小さいか等しい。
【００５５】
ステップ５０３：ユーザー端末は式（１）で基地局のＭＣＣＨ変更通知の送信タイミングを計算し、当該タイミングでＰＤＣＣＨをモニターし、基地局より送信されるＭＣＣＨ変更通知を取得する。
【００５６】
具体的に、通知周期がＭａｘ  ＳＦＮより小さい場合、次のＭＣＣＨ修正境界の前、基地局は複数のＭＣＣＨ変更通知の送信タイミングでユーザー端末に対してＭＣＣＨ変更通知を送信する可能性がある。本応用シナリオにおいて、ユーザー端末は基地局より送信されるＭＣＣＨ変更通知を一回正しく受信した後、次のＭＣＣＨ修正境界の前に基地局より送信される他のＭＣＣＨ変更通知を受信しなくなる。
【００５７】
以下は通知周期がＭａｘ  ＳＦＮ（即ち、ＳＦＮ  ｃｙｃｌｅ）より大きい場合を説明する。その場合、基地局はＭＣＣＨによりユーザー端末に対してカウンターｎ又はカウンターｍを送信することにより、端末にＭＣＣＨ変更通知の送信タイミングを正しく取得できるようにする。パラメータｎとパラメータｍは２種のユーザー端末のＭＣＣＨ変更通知取得方式に対応し、以下はそれぞれと説明する。
【００５８】
ユーザー端末が方式１でＭＣＣＨ変更通知を取得する過程は図７と図８に示すようであり、ここで、Ｎは現在ＳＦＮの拡張倍数で、０より大きいか等しい正整数であり、その値は、
【数１】
2013502104.tif 000003
である。
【００５９】
そのうち、
【数２】
2013502104.tif 000004
とし、最大ＳＦＮ拡張倍数と呼ばれ、ＮｏｔｉｆｉｃａｔｉｏｎとＭａｘＳＦＮに対する剰余演算を表示する。
【００６０】
その場合、ユーザー端末がＭＣＣＨ変更通知を取得する過程はステップ７０１、ステップ７０２、ステップを含む。
【００６１】
ステップ７０１：基地局は自身がＰＤＣＣＨにより送信するＭＣＣＨ変更通知の通知周期、通知受信タイミングオフセット及び通知送信窓をユーザー端末に通知し、又、ＭＣＣＨ変更通知送信タイミングの取得方式についてユーザー端末と約束する。
【００６２】
その場合、当該ＭＣＣＨ変更通知の送信タイミングは式（２）で取得する。
(ｎ＊ＭａｘＳＦＮ＋ＳＦＮ)ｍｏｄＮｏｔｉｆｉｃａｔｉｏｎＰｅｒｉｏｄ  ＝
ＮｏｔｉｆｉｃａｔｉｏｎＡｌｌｏｃａｔｉｏｎＯｆｆｓｅｔ；      式（２）
上述説明で分かるように、ｎは現在ＳＦＮ拡張倍数であり、一つのＳＦＮ  周期の完了ごとに、ｎ＋１になり、ＮｏｔｉｆｉｃａｔｉｏｎＰｅｒｉｏｄは通知周期であり、ＮｏｔｉｆｉｃａｔｉｏｎＡｌｌｏｃａｔｉｏｎＯｆｆｓｅｔは通知受信タイミングオフセットである。
【００６３】
ステップ７０２：基地局はＭＣＣＨ変更通知の送信タイミングを計算し、式（２）を満足するＳＦＮ拡張倍数がｎであるＳＦＮ周期のシステムフレーム時間をＭＣＣＨ変更通知の送信タイミングに確定し、送信タイミング毎にＰＤＣＣＨと通知窓内のサブフレームにより、ユーザー端末に対してＭＣＣＨ変更通知を送信する。
【００６４】
一つのＭＣＣＨ修正周期内で、基地局は算出したＭＣＣＨ変更通知の送信タイミングにより、ユーザー端末に対してＭＣＣＨ変更通知をすくなくともＮ回送信する。当該送信タイミングは具体的にシステムフレームの指定サブフレームの位置であり、通知送信窓のサイズＫの具体的な値は、通知送信窓内のサブフレーム個数又はＭＢＳＦＮサブフレーム個数であり、Ｋの値はＮより小さいか等しく、かつ、１より大きいか等しい。
【００６５】
具体的に、基地局は上記式（２）で複数のタイミングを取得し、基地局は式（２）を満足する各タイミングでＰＤＣＣＨによりユーザー端末に対してＭＣＣＨ変更通知を送信し、又、当該時間から通知送信窓内の各サブフレーム又は各ＭＢＳＦＮサブフレームにより、ＭＣＣＨ変更通知を繰り返して送信する。
【００６６】
ステップ７０３：ユーザー端末は式（２）により、基地局のＭＣＣＨ変更通知送信タイミングを計算し、当該時間にＰＤＣＣＨ及び通知送信窓内のサブフレームをモニターし、基地局より送信されるＭＣＣＨ変更通知を取得する。
【００６７】
ユーザー端末は基地局から送信されたＭＣＣＨ変更通知の送信タイミングを取得した後、ＳＦＮ  ｃｙｃｌｅを経過するたびに、当該値を自動的に更新し、公式（２）を満足するタイミングで、通知送信情報をモニターする。ステップ２０３と同じように、ユーザー端末は基地局より送信されるＭＣＣＨ変更通知を一回正しく受信した後、通知送信窓内の他のサブフレームをモニターしなくなる。
【００６８】
図９と図１０の示すように、方式２では、ｍはＭＣＣＨ重複周期カウンター（ＭＣＣＨＲｐＣｏｕｎｔ）であり、ＭＣＣＨチャネルにより各ＭＣＣＨ重複周期内でｍを送信し、各ＭＣＣＨ修正周期内でｍを送信するたびに、１ステップを増やす。
【００６９】
具体的に、ユーザー端末が方式２でＭＣＣＨ変更通知を取得する過程は図９に示すように、ステップ９０１、ステップ９０２、ステップ９０３を含む。
【００７０】
ステップ９０１：基地局は自身がＰＤＣＣＨにより送信するＭＣＣＨ変更通知の通知周期、通知受信タイミングオフセットをユーザー端末に通知し、又、ＭＣＣＨ変更通知送信タイミングの取得方式についてユーザー端末と約束する。
【００７１】
その場合、当該ＭＣＣＨ変更通知の送信タイミングは式（３）で取得する。
ｍ＊ＭｃｃｈＲｅｐｅｔｉｔｉｏｎＰｅｒｉｏｄ  ｍｏｄ  ＭｃｃｈＮｏｔｉｆｉｃａｔｉｏｎＰｅｒｉｏｄ＝ＮｏｔｉｆｉｃａｔｉｏｎＡｌｌｏｃａｔｉｏｎＯｆｆｓｅｔ      式（３）
【００７２】
ステップ９０２：基地局はＭＣＣＨ変更通知の送信タイミングを計算し、式（３）を満足するｍ番目のＭＣＣＨ重複周期内のシステムフレーム時間をＭＣＣＨ変更通知の送信タイミングに確定し、送信タイミング毎にＰＤＣＣＨと通知窓内のサブフレームにより、ユーザー端末に対してＭＣＣＨ変更通知を送信する。
【００７３】
一つのＭＣＣＨ修正周期内で、基地局は算出したＭＣＣＨ変更通知の送信タイミングにより、ユーザー端末に対してＭＣＣＨ変更通知をすくなくともＮ回送信し、Ｎの具体的な値は次のＭＣＣＨ修正境界の前にある通知送信タイミングの個数より小さいか等しい。
【００７４】
ステップ９０３：ユーザー端末は式（３）により基地局のＭＣＣＨ変更通知の送信タイミングを計算し、当該タイミングでＰＤＣＣＨをモニターし、基地局より送信されたＭＣＣＨ変更通知を取得し、又、基地局より送信されたＭＣＣＨ変更通知を一回正しく受信した後、ＰＤＣＣＨをモニターしなくなる。
【００７５】
本発明に係る方法により、基地局とユーザー端末は同様なＭＣＣＨ変更通知の送信タイミングを受信し、又、基地局は一つのＭＣＣＨ修正周期内で、当該時間によりユーザー端末に対してＭＣＣＨ変更通知をすくなくともＮ回送信し、ユーザー端末は一つのＭＣＣＨ修正周期内で、ＭＣＣＨ変更通知を受信できなかった場合、当該時間によりＭＣＣＨ変更通知をすくなくともＮ回受信する。本発明はＭＣＣＨ変更通知の送受信効率を向上し、悪いチャネル条件又は他の原因により起きた端末が当該通知を受信できなかった確率を低減させ、又、当該送信タイミングはユーザー端末のページング・オケイジョン（ｐａｇｉｎｇ  ｏｃｃａｓｉｏｎ）を回避できるため、過多のＰＤＣＣＨ上のネットワーク識別子で起きたＭＣＣＨ変更通知の誤処理確率を低減できるようにする。
【００７６】
本発明の実施形態に係るマルチキャスト制御チャネルＭＣＣＨ変更通知の送信装置は図１１に示すように、
ＭＣＣＨ変更通知の送信タイミングを取得するタイミング取得ユニット１１と
一つのＭＣＣＨ修正周期内で、前記タイミング取得ユニットで取得された送信タイミングにより、ユーザー端末に対して前記ＭＣＣＨ変更通知をすくなくともＮ回送信し、前記Ｎは予め設定された前記ＭＣＣＨ変更通知の送信回数である通知送信ユニット１２と
を含む。
【００７７】
具体的に、前記タイミング取得ユニット１１はＭＣＣＨ変更通知の通知周期と通知受信タイミングオフセットを取得し、また、システムフレーム番号ＳＦＮ、取得された前記通知周期及び通知受信タイミングオフセットにより、前記ＭＣＣＨ変更通知の送信タイミングを取得する。
【００７８】
具体的に、前記通知周期がＭａｘＳＦＮより小さいか等しい場合、前記タイミング取得ユニット１１は前記ＳＦＮと前記通知周期とに対して剰余演算を実行し、得られた結果が前記通知受信タイミングオフセットに等しい場合、前記システムフレームの指定サブフレームの位置を前記ＭＣＣＨ変更通知の送信タイミングにする。前記通知周期がＭａｘＳＦＮより大きい場合、前記タイミング取得ユニット１１は前記ＳＦＮと前記通知周期とに対して剰余演算を実行する。(ｎ＊ＭａｘＳＦＮ＋ＳＦＮ)ｍｏｄ通知周期＝通知受信タイミングオフセットという式を満足する場合、ＳＦＮ拡張倍数がｎであるＳＦＮ周期の前記システムフレームの指定サブフレームの位置を前記ＭＣＣＨ変更通知の送信タイミングにする。
【００７９】
前記通知送信ユニット１２は、一つ又は複数の予め設定された通知送信窓を取得し、前記システムフレームの指定サブフレームの位置から、前記通知送信窓内のサブフレーム又はマルチキャスト／ブロードキャスト単一周波数ネットワークＭＢＳＦＮサブフレームにより、前記ＭＣＣＨ変更通知をすくなくともＮ回送信し、前記通知送信窓のサイズＫの値は前記通知送信窓内のサブフレーム個数又はＭＢＳＦＮサブフレーム個数であり、前記Ｋの値はＮより小さいか等しく、かつ、１より大きいか等しい。
【００８０】
前記タイミング取得ユニット１１は又、ＭＣＣＨ重複周期と前記通知周期に対して剰余演算を実行し、（ｍ  ＊ＭＣＣＨ重複周期）ｍｏｄ通知周期＝通知受信タイミングオフセットという式を満足する場合、ｍ番目のＭＣＣＨ重複周期の初期タイミングを前記ＭＣＣＨ変更通知の送信タイミングにする。そのうち、ｍはＭＣＣＨ重複周期カウンターである。
【００８１】
前記通知送信ユニット１２は更に又、次のＭＣＣＨ修正境界の前にあるすくなくともＮ個のＭＣＣＨ変更通知送信タイミングに、ＰＤＣＣＨにより前記ＭＣＣＨ変更通知を送信し、前記Ｎの値は、前記次のＭＣＣＨ修正境界の前にあるＭＣＣＨ変更通知の送信タイミングの個数より小さいか等しい。
【００８２】
Ｎの値は以下のように設定できるが、それとは限らない。
Ｎ＝最短ＭＣＣＨ修正周期／ＭＣＣＨ変更通知の重複周期
【００８３】
ここで、ＭＣＣＨ変更通知の重複周期は一つのＭＣＣＨ修正周期内で、ＭＣＣＨ変更通知を繰り返して送信する最短時間間隔であり、最短ＭＣＣＨ修正周期は当該基地局／セルをカバーする複数のＭＢＳＦＮ領域内の対応する最短ＭＣＣＨ送信周期である。
【００８４】
本発明の実施形態に係るユーザー端末は、図１２に示すように、
ＭＣＣＨ変更通知の送信タイミングを取得するタイミング取得ユニット２１と、
一つのＭＣＣＨ修正周期内でＭＣＣＨ変更通知を受信できなかった場合、前記ＭＣＣＨ変更通知の送信タイミングにより前記ＭＣＣＨ変更通知をすくなくともＮ回受信し、前記Ｎは予め設定された前記ＭＣＣＨ変更通知の受信回数であることと通知受信ユニット２２と
を含む。
【００８５】
具体的に、前記タイミング取得ユニット２１は、ＭＣＣＨ変更通知の通知周期と通知受信タイミングオフセットを取得し、また、システムフレーム番号ＳＦＮ、取得された前記通知周期及び通知受信タイミングオフセットにより、前記ＭＣＣＨ変更通知の送信タイミングを取得する。
【００８６】
具体的に、前記通知周期がＭａｘＳＦＮより小さいか等しい場合、前記タイミング取得ユニット２１は前記ＳＦＮと前記通知周期とに対して剰余演算を実行し、得られる結果が前記通知受信タイミングオフセットに等しい場合、前記システムフレームの指定サブフレームの位置を前記ＭＣＣＨ変更通知の送信タイミングにする。前記通知周期がＭａｘＳＦＮより大きい場合、前記タイミング取得ユニット２１は前記ＳＦＮと前記通知周期とに対して剰余演算を実行する。(ｎ＊ＭａｘＳＦＮ＋ＳＦＮ)ｍｏｄ通知周期＝通知受信タイミングオフセットという式を満足する場合、ＳＦＮ拡張倍数がｎであるＳＦＮ周期の前記システムフレームの指定サブフレームの位置を前記ＭＣＣＨ変更通知の送信タイミングにする。
【００８７】
前記通知受信ユニット２２は予め設定された通知送信窓を少なくとも一つ取得して、前記システムフレームの指定サブフレームの位置から、前記通知送信窓内のサブフレーム又はマルチキャスト／ブロードキャスト単一周波数ネットワークＭＢＳＦＮサブフレームをモニターし、前記基地局より送信されるＭＣＣＨ変更通知を取得し、又、一つのＭＣＣＨ修正周期内でＭＣＣＨ変更通知を受信できなかった場合、前記通知送信窓により前記ＭＣＣＨ変更通知をすくなくともＮ回受信し、前記通知送信窓のサイズＫの値は前記通知送信窓内のサブフレーム個数又はＭＢＳＦＮサブフレーム個数であり、前記Ｋの値はＮより小さいか等しく、かつ、１より大きいか等しい。
【００８８】
前記通知受信ユニット２２は更に又、前記ＭＣＣＨ変更通知を一回正しく受信した後、前記通知送信窓内のサブフレーム又はＭＢＳＦＮサブフレームのＰＤＣＣＨでの前記特定ＲＮＴＩ又はＭ−ＲＮＴＩの有無に対するモニターを終了する。
【００８９】
前記タイミング取得ユニット２１は、ＭＣＣＨ重複周期と前記通知周期に対して剰余演算を実行し、（ｍ＊ＭＣＣＨ重複周期）ｍｏｄ通知周期＝通知受信タイミングオフセットという式を満足する場合、ｍのＭＣＣＨ重複周期の初期タイミングを前記ＭＣＣＨ変更通知の送信タイミングにし、そのうち、ｍはＭＣＣＨ重複周期カウンターである。
【００９０】
前記通知受信ユニット２２は又、次のＭＣＣＨ修正境界の前にあるすくなくともＮ個のＭＣＣＨ変更通知送信タイミングに前記ＰＤＣＣＨをモニターし、前記ＭＣＣＨ変更通知に対する受信を試みる。
【００９１】
前記通知受信ユニット２２は更に又、前記ＭＣＣＨ変更通知を一回正しく受信した後、次のＭＣＣＨ修正境界の前の他の通知送信タイミングで、ＰＤＣＣＨでの特定ＲＮＴＩ又はＭ−ＲＮＴＩの有無に対するモニターを終了する。
【００９２】
Ｎの値は以下のように設定できるが、それに限らない。
Ｎ＝最短ＭＣＣＨ修正周期／ＭＣＣＨ変更通知の重複周期
【００９３】
ここで、ＭＣＣＨ変更通知の重複周期は一つのＭＣＣＨ修正周期内で、ＭＣＣＨ変更通知を繰り返して受信する最短時間間隔であり、最短ＭＣＣＨ修正周期は当該基地局／セルをカバーする複数のＭＢＳＦＮ領域内の対応する最短ＭＣＣＨ送信周期である。
【００９４】
本発明に係る装置とユーザー端末を利用することにより、基地局とユーザー端末は同様なＭＣＣＨ変更通知の送信タイミングを取得できるようになり、又、基地局は一つのＭＣＣＨ修正周期内で、当該タイミングによりユーザー端末に対してＭＣＣＨ変更通知をすくなくともＮ回送信して、ユーザー端末は一つのＭＣＣＨ修正周期内でＭＣＣＨ変更通知を受信できなかった場合、当該時間によりＭＣＣＨ変更通知をすくなくともＮ回受信することになる。これによって、本発明はＭＣＣＨ変更通知の送受信効率を向上でき、悪いチャネル条件又は他の原因で起きた端末が当該通知を受信できない確率を低減させることが可能になる。又、当該送信タイミングはユーザー端末のページング・オケイジョン（ｐａｇｉｎｇ  ｏｃｃａｓｉｏｎ）を回避できるため、過多のＰＤＣＣＨ上のネットワーク識別子で起きたＭＣＣＨ変更通知の誤処理確率を低減できる。
【００９５】
以上の実施形態に対する記述により、本発明はソフトウェアに必要な汎用ハードウェアプラットフォームを加えることで実現することが本領域の技術者として明らかに理解できる。無論、ハードウェアで実現することもよいが、大多数の場合、前者が好ましい実施方式である。このような認識より、本発明の技術案は本質的に、又は従来の技術に対して貢献をする部分は、ソフトウェア製品の形式で表示できるということである。当該ソフトウェア製品は記憶媒体に保存され、若干の指令を含むことにより、一台のコンピュータ設備（パソコン、サーバ、又はネットワーク側装置などであっても良い）が本発明の各実施形態に記述される前記方法を実行できるようにする。
【００９６】
本発明に係る図面は単に本発明の好ましい実施形態を示す図に過ぎず、図面におけるモジュール又はフローは、必ず本発明の実施に欠かせないものではないということが本領域の技術者として理解すべきである。
【００９７】
また、本領域の技術者が理解できるように、実施形態に係る装置内のモジュールは、実施形態に記述された実施形態の装置に分散されても良いし、又は、適当に変形され、本実施形態と異なる一つ又は複数の装置に設置されても良い。上述実施形態に係るモジュールは１つのモジュールになっても良いし、複数のサブモジュールに分割されても良い。
【００９８】
上述した本発明の実施形態のシリアル番号は説明するために過ぎず、実施形態の優劣を示さない。
【００９９】
以上、本発明を説明するため、幾つかの実施形態を公開した。上述した実施形態は本発明を限定するものではない。本技術分野を熟知する如何なる技術者が本発明が開示する技術範囲内で容易に想到する変更や置換えも本発明の保護範囲内に含まれるものである。
【図１】
2013502104.tif 000005
【図２】
2013502104.tif 000006
【図３】
2013502104.tif 000007
【図４】
2013502104.tif 000008
【図５】
2013502104.tif 000009
【図６】
2013502104.tif 000010
【図７】
2013502104.tif 000011
【図８】
2013502104.tif 000012
【図９】
2013502104.tif 000013
【図１０】
2013502104.tif 000014
【図１１】
2013502104.tif 000015
【図１２】
2013502104.tif 000016
【手続補正書】
【提出日】平成24年4月3日(2012.4.3)
【手続補正１】
【補正対象書類名】明細書
【補正対象項目名】０００２
【補正方法】変更
【補正の内容】
【０００２】
ＭＣＣＨ（Ｍｕｌｔｉｃａｓｔ  Ｃｏｎｔｒｏｌ  Ｃｈａｎｎｅｌ、マルチキャスト制御チャネル）はｅＭＢＭＳ（Ｅｖｏｌｖｅｄ  Ｍｕｌｔｉｍｅｄｉａ  Ｂｒｏａｄｃａｓｔ  ａｎｄ  Ｍｕｌｔｉｃａｓｔ  Ｓｅｒｖｉｃｅ、進化型マルチメディアブロードキャストとマルチキャストサービス、（ＬＴＥ）ＭＢＭＳとも呼ばれる）システムにおける一対多のダウンリンクチャネルであり、ネットワーク側からＵＥ（Ｕｓｅｒ  Ｅｑｕｉｐｍｅｎｔ、ユーザー端末）への制御情報を伝送する。当該制御情報は主にｅＭＢＭＳサービス情報と無線ベアラ関連情報を含む。そのうち、ｅＭＢＭＳサービス情報はユーザー端末が所在するセルで受けられるｅＭＢＭＳサービスを示す。各ｅＭＢＭＳサービスにおいて、ｅＭＢＭＳサービス情報はサービスＩＤ（サービス識別子）、セッションＩＤ（セッション識別子）及び無線ベアラ解放指示情報などを含むことができる。無線ベアラ関連情報は一種又は複数種のｅＭＢＭＳが受信できるセルに使用される無線ベアラと一対多ベアラ情報であり（、各ｅＭＢＭＳサービスにおいて、無線ベアラ関連情報は、サービスＩＤ、物理チャネル情報、伝送チャネル情報及び無線ベアラ情報などを含められる。
【手続補正２】
【補正対象書類名】明細書
【補正対象項目名】００２４
【補正方法】変更
【補正の内容】
【００２４】
本発明の実施形態において、基地局は、ＰＤＣＣＨによりＭＣＣＨ変更通知を送信する通知周期（Ｎｏｔｉｆｉｃａｔｉｏｎ  Ｐｅｒｉｏｄ）と、通知受信タイミングオフセット（Ｎｏｔｉｆｉｃａｔｉｏｎ  Ａｌｌｏｃａｔｉｏｎ  Ｏｆｆｓｅｔ）及び通知とを送信するサブフレームの具体的な位置をユーザー端末に送信でき、そして、ユーザー端末は受信された通知周期と通知受信タイミングオフセットによりＭＣＣＨ変更通知の送信タイミングを計算する。ここで、通知周期又は通知受信タイミングオフセットは基地局から端末へ送信されるものであっても良く、又は、システムや規範で直接に規定されたるが、あるいは、他のシステムで規定されるパラメータにより算出したものであっても良い。また、基地局はＭＣＣＨ変更通知の送信タイミングについて予め端末と約束することもできる。後続基地局は約束された送信タイミングによりＭＣＣＨ変更通知を送信し、ユーザー端末は約束された送信タイミングによりＭＣＣＨ変更通知を受信する。
【手続補正３】
【補正対象書類名】明細書
【補正対象項目名】００３１
【補正方法】変更
【補正の内容】
【００３１】
ユーザー端末は予めＭＣＣＨ変更通知の送信タイミングについて基地局と約束できるので、ユーザー端末は直接に約束された送信タイミングによりＭＣＣＨ変更通知を受信すれば良い。或いは、ユーザー端末は先ず、基地局より通知されるＭＣＣＨ変更通知の通知周期、通知受信タイミングオフセット及びＭＣＣＨ変更通知の送信システムフレームの指定サブフレームの位置を受信し、その後、基地局より通知された上述内容により、ＭＣＣＨ変更通知の送信タイミングを取得しても良い。ここで、当該サブフレームの位置は基地局からユーザー端末へ下り伝送されるパラメータであっても良いし、又は、システムで明確に規定されたある特定のパラメータであっても良く、更に、システムで規定された計算方法などの関連方法で取得されるものであっても良い。
【手続補正４】
【補正対象書類名】明細書
【補正対象項目名】００３３
【補正方法】変更
【補正の内容】
【００３３】
本発明の実施形態において、Ｎの具体的な値は実際に応じて予め設定する必要がある。例えば、以下の方式でＮの値を設定できるがそれとは限らない。
Ｎ＝最短ＭＣＣＨ修正周期／ＭＣＣＨ変更通知の通知周期
【手続補正５】
【補正対象書類名】明細書
【補正対象項目名】００３４
【補正方法】変更
【補正の内容】
【００３４】
ここで、ＭＣＣＨ変更通知の通知周期は一つのＭＣＣＨ修正周期内でＭＣＣＨ変更通知を繰り返して送信する最短時間間隔であり、最短ＭＣＣＨ修正周期は当該基地局／セルをカバーする複数のＭＢＳＦＮ領域内の対応する最短ＭＣＣＨ送信周期である。
【手続補正６】
【補正対象書類名】明細書
【補正対象項目名】００５１
【補正方法】変更
【補正の内容】
【００５１】
具体的に、ＭＣＣＨ変更通知の送信タイミング取得方式はステップ３０１における取得方式と同一で、式（１）で示す。
ＳＦＮ  ｍｏｄ  ＮｏｔｉｆｉｃａｔｉｏｎＰｅｒｉｏｄ＝ＮｏｔｉｆｉｃａｔｉｏｎＡｌｌｏｃａｔｉｏｎＯｆｆｓｅｔ；      （１）
【手続補正７】
【補正対象書類名】明細書
【補正対象項目名】００５９
【補正方法】変更
【補正の内容】
【００５９】
そのうち、
【数２】
2013502104.tif 000017
とし、最大ＳＦＮ拡張倍数と呼ばれ、ＮｏｔｉｆｉｃａｔｉｏｎＰｅｒｉｏｄとＭａｘＳＦＮに対する剰余演算を表示する。
【手続補正８】
【補正対象書類名】明細書
【補正対象項目名】００６７
【補正方法】変更
【補正の内容】
【００６７】
ユーザー端末は基地局から送信されたＭＣＣＨ変更通知の送信タイミングを取得した後、ＳＦＮ  ｃｙｃｌｅを経過するたびに、当該値を自動的に更新し、公式（２）を満足するタイミングで、通知送信情報をモニターする。ステップ３０３と同じように、ユーザー端末は基地局より送信されるＭＣＣＨ変更通知を一回正しく受信した後、通知送信窓内の他のサブフレームをモニターしなくなる。
【手続補正９】
【補正対象書類名】明細書
【補正対象項目名】００７２
【補正方法】変更
【補正の内容】
【００７２】
ステップ９０２：基地局はＭＣＣＨ変更通知の送信タイミングを計算し、式（３）を満足するｍ番目のＭＣＣＨ重複周期内のシステムフレーム時間をＭＣＣＨ変更通知の送信タイミングに確定し、送信タイミング毎にＰＤＣＣＨとＭＣＣＨ変更通知を送信するサブフレームにより、ユーザー端末に対してＭＣＣＨ変更通知を送信する。
【手続補正１０】
【補正対象書類名】明細書
【補正対象項目名】００８２
【補正方法】変更
【補正の内容】
【００８２】
Ｎの値は以下のように設定できるが、それとは限らない。
Ｎ＝最短ＭＣＣＨ修正周期／ＭＣＣＨ変更通知の通知周期
【手続補正１１】
【補正対象書類名】明細書
【補正対象項目名】００８３
【補正方法】変更
【補正の内容】
【００８３】
ここで、ＭＣＣＨ変更通知の通知周期は一つのＭＣＣＨ修正周期内で、ＭＣＣＨ変更通知を繰り返して送信する最短時間間隔であり、最短ＭＣＣＨ修正周期は当該基地局／セルをカバーする複数のＭＢＳＦＮ領域内の対応する最短ＭＣＣＨ送信周期である。
【手続補正１２】
【補正対象書類名】明細書
【補正対象項目名】００９２
【補正方法】変更
【補正の内容】
【００９２】
Ｎの値は以下のように設定できるが、それに限らない。
Ｎ＝最短ＭＣＣＨ修正周期／ＭＣＣＨ変更通知の通知周期
【手続補正１３】
【補正対象書類名】明細書
【補正対象項目名】００９３
【補正方法】変更
【補正の内容】
【００９３】
ここで、ＭＣＣＨ変更通知の通知周期は一つのＭＣＣＨ修正周期内で、ＭＣＣＨ変更通知を繰り返して受信する最短時間間隔であり、最短ＭＣＣＨ修正周期は当該基地局／セルをカバーする複数のＭＢＳＦＮ領域内の対応する最短ＭＣＣＨ送信周期である。
【手続補正１４】
【補正対象書類名】特許請求の範囲
【補正対象項目名】全文
【補正方法】変更
【補正の内容】
【特許請求の範囲】
【請求項１】
ＭＣＣＨ(Ｍｕｌｔｉｃａｓｔ  Ｃｏｎｔｒｏｌ  Ｃｈａｎｎｅｌ、マルチキャスト制御チャネル)変更通知の送信タイミングを取得するステップと、
一つのＭＣＣＨ修正周期内でＭＣＣＨ変更通知を受信できなかった場合、前記ＭＣＣＨ変更通知の送信タイミングにより前記ＭＣＣＨ変更通知を少なくてもＮ回受信するステップとを含み、
前記Ｎは予め設定された前記ＭＣＣＨ変更通知の受信回数である
ことを特徴とするマルチキャスト制御チャネル変更通知の受信方法。
【請求項２】
前記ＭＣＣＨ変更通知の送信タイミングを取得するステップは、
ＭＣＣＨ変更通知の通知周期と通知受信タイミングオフセットとを取得するステップと、
ＳＦＮ（Ｓｙｓｔｅｍ  Ｆｒａｍｅ  Ｎｕｍｂｅｒ，システムフレーム番号）と、取得された前記通知周期及び通知受信タイミングオフセットとにより、前記ＭＣＣＨ変更通知の送信タイミングを取得するステップと、
を含むことを特徴とする請求項１記載のマルチキャスト制御チャネル変更通知の受信方法。
【請求項３】
前記ＳＦＮ、取得された前記通知周期及び通知受信タイミングオフセットにより、前記ＭＣＣＨ変更通知の送信タイミングを取得するステップは、
前記通知周期が最大システムフレーム番号ＭａｘＳＦＮより小さいか等しい場合、前記ＳＦＮと前記通知周期とに対して剰余演算を実行し、得られた結果が前記通知受信タイミングオフセットに等しい場合、前記システムフレームの指定サブフレームの位置を前記ＭＣＣＨ変更通知の送信タイミングにするステップ
を含むことを特徴とする請求項２記載のマルチキャスト制御チャネル変更通知の受信方法。
【請求項４】
前記ＳＦＮ、取得された前記通知周期及び通知受信タイミングオフセットにより、前記ＭＣＣＨ変更通知の送信タイミングを取得するステップは、
前記通知周期がＭａｘＳＦＮより大きい場合、前記ＳＦＮと前記通知周期とに対して剰余演算を実行し、式(ｎ＊ＭａｘＳＦＮ＋ＳＦＮ)ｍｏｄ通知周期＝通知受信タイミングオフセットを満足する場合、ＳＦＮ拡張倍数がｎであるＳＦＮ周期の前記システムフレームの指定サブフレームの位置を前記ＭＣＣＨ変更通知の送信タイミングにするステップ
を含むことを特徴とする請求項２記載のマルチキャスト制御チャネル変更通知の受信方法。
【請求項５】
前記一つのＭＣＣＨ修正周期内でＭＣＣＨ変更通知を受信できなかった場合、前記ＭＣＣＨ変更通知の送信タイミングにより前記ＭＣＣＨ変更通知をすくなくともＮ回受信するステップは、
予め設定された通知送信窓をすくなくとも一つ取得し、前記システムフレームの指定サブフレームの位置から、前記通知送信窓内のサブフレーム又はＭＢＳＦＮ（Ｍｕｌｔｉｃａｓｔ／Ｂｒｏａｄｃａｓｔ  ｏｖｅｒ  Ｓｉｎｇｌｅ  Ｆｒｅｑｕｅｎｃｙ  Ｎｅｔｗｏｒｋ，マルチキャスト／ブロードキャスト単一周波数ネットワーク）サブフレームをモニターし、基地局より送信されたＭＣＣＨ変更通知を取得するステップと、
一つのＭＣＣＨ修正周期内でＭＣＣＨ変更通知を受信できなかった場合、前記通知送信窓により前記ＭＣＣＨ変更通知をすくなくともＮ回受信するステップとを含み、
前記通知送信窓のサイズＫの値は前記通知送信窓内のサブフレーム個数又はＭＢＳＦＮサブフレーム個数であり、前記Ｋの値はＮより小さいか等しく、かつ、１より大きいか等しいであることを特徴とする請求項３又は４記載のマルチキャスト制御チャネル変更通知の受信方法。
【請求項６】
前記ＭＣＣＨ変更通知の送信タイミングにより前記ＭＣＣＨ変更通知をすくなくともＮ回受信するステップは、
前記ＭＣＣＨ変更通知を一回正しく受信した後、前記通知送信窓内のサブフレーム又はＭＢＳＦＮサブフレームの物理ダウンリンク制御チャネル（Ｐｈｙｓｉｃａｌ  Ｄｏｗｎｌｉｎｋ  Ｃｏｎｔｒｏｌ  Ｃｈａｎｎｅｌ）での特定ＲＮＴＩ又はＭ−ＲＮＴＩの有無に対するモニターを終了するステップ
を含むことを特徴とする請求項５記載のマルチキャスト制御チャネル変更通知の受信方法。
【請求項７】
前記ＭＣＣＨ変更通知の送信タイミングを取得するとは、
ＭＣＣＨ重複周期と前記通知周期とに対して剰余演算を実行して、（ｍ＊ＭＣＣＨ重複周期）ｍｏｄ通知周期＝通知受信タイミングオフセットを満足する場合、ｍ番目のＭＣＣＨ重複周期の初期タイミングを前記ＭＣＣＨ変更通知の送信タイミングにすることであり、
前記ｍはＭＣＣＨ重複周期カウンターである
ことを特徴とする請求項２記載のマルチキャスト制御チャネル変更通知の受信方法。
【請求項８】
前記ＭＣＣＨ変更通知の送信タイミングにより前記ＭＣＣＨ変更通知を少なくともＮ回受信するステップは、
次のＭＣＣＨ修正境界の前にある少なくともＮ個のＭＣＣＨ変更通知の送信タイミングで物理ダウンリンク制御チャネル（Ｐｈｙｓｉｃａｌ  Ｄｏｗｎｌｉｎｋ  Ｃｏｎｔｒｏｌ  Ｃｈａｎｎｅｌ）をモニターし、前記ＭＣＣＨ変更通知を受信するステップと
を含むことを特徴とする請求項１記載のマルチキャスト制御チャネル変更通知の受信方法。
【請求項９】
前記ＭＣＣＨ変更通知の送信タイミングにより、前記ＭＣＣＨ変更通知を少なくともＮ回受信するステップは、
前記ＭＣＣＨ変更通知を一回正しく受信した後、次のＭＣＣＨ修正境界の前の他の通知送信タイミングで、ＰＤＣＣＨでの特定ＲＮＴＩ又はＭ−ＲＮＴＩの有無に対するモニターを終了するステップ
を更に含むことを特徴とする請求項８記載のマルチキャスト制御チャネル変更通知の受信方法。
【請求項１０】
前記Ｎの値は下記の式で設定され、
Ｎ＝最短ＭＣＣＨ修正周期／ＭＣＣＨ変更通知の通知周期
ここで、ＭＣＣＨ変更通知の通知周期は一つのＭＣＣＨ修正周期内で、ＭＣＣＨ変更通知を繰り返して受信する最短時間間隔である
ことを特徴とする請求項１記載のマルチキャスト制御チャネル変更通知の受信方法。
【請求項１１】
ＭＣＣＨ(Ｍｕｌｔｉｃａｓｔ  Ｃｏｎｔｒｏｌ  Ｃｈａｎｎｅｌ、マルチキャスト制御チャネル)変更通知の送信タイミングを取得するタイミング取得手段と、
一つのＭＣＣＨ修正周期内でＭＣＣＨ変更通知を受信できなかった場合、前記ＭＣＣＨ変更通知の送信タイミングにより前記ＭＣＣＨ変更通知をすくなくともＮ回受信し、前記Ｎは予め設定された前記ＭＣＣＨ変更通知の受信回数である通知受信手段と
を有することを特徴とするユーザー端末。
【請求項１２】
前記タイミング取得手段は、
ＭＣＣＨ変更通知の通知周期と通知受信タイミングオフセットとを取得し、
システムフレーム番号ＳＦＮと、取得された前記通知周期及び通知受信タイミングオフセットとにより、前記ＭＣＣＨ変更通知の送信タイミングを取得する
ことを特徴とする請求項１１記載のユーザー端末。
【請求項１３】
前記タイミング取得手段は、
通知周期が最大システムフレーム番号ＭａｘＳＦＮより小さいか等しい場合、前記ＳＦＮと前記通知周期とに対して剰余演算を実行し、得られた結果が通知受信タイミングオフセットに等しい場合、システムフレームの指定サブフレームの位置を前記ＭＣＣＨ変更通知の送信タイミングにする
ことを特徴とする請求項１２記載のユーザー端末。
【請求項１４】
前記タイミング取得手段は、
通知周期がＭａｘＳＦＮより大きい場合、前記ＳＦＮと前記通知周期とに対して剰余演算を実行し、(ｎ＊ＭａｘＳＦＮ＋ＳＦＮ)ｍｏｄ通知周期＝通知受信タイミングオフセットを満足する場合、ＳＦＮ拡張倍数がｎであるＳＦＮ周期のシステムフレームの指定サブフレームの位置を前記ＭＣＣＨ変更通知の送信タイミングにする
ことを特徴とする請求項１２記載のユーザー端末。
【請求項１５】
前記通知受信手段は、
予め設定された通知送信窓を少なくとも一つ取得し、前記システムフレームの指定サブフレームの位置から、前記通知送信窓内のサブフレーム又はＭＢＳＦＮ（Ｍｕｌｔｉｃａｓｔ／Ｂｒｏａｄｃａｓｔ  ｏｖｅｒ  Ｓｉｎｇｌｅ  Ｆｒｅｑｕｅｎｃｙ  Ｎｅｔｗｏｒｋ，マルチキャスト／ブロードキャスト単一周波数ネットワーク）サブフレームをモニターし、基地局より送信されるＭＣＣＨ変更通知を取得し、又
一つのＭＣＣＨ修正周期内でＭＣＣＨ変更通知を受信できなかった場合、前記通知送信窓により前記ＭＣＣＨ変更通知を少なくともＮ回受信し、
前記通知送信窓のサイズＫの値は前記通知送信窓内のサブフレーム個数又はＭＢＳＦＮサブフレーム個数であり、前記Ｋの値はＮより小さいか等しく、かつ、１より大きいか等しい
ことを特徴とする請求項１３又は１４記載のユーザー端末。
【請求項１６】
前記通知受信手段は又、
前記ＭＣＣＨ変更通知を一回正しく受信した後、前記通知送信窓内のサブフレーム又はＭＢＳＦＮサブフレームの物理ダウンリンク制御チャネル（Ｐｈｙｓｉｃａｌ  Ｄｏｗｎｌｉｎｋ  Ｃｏｎｔｒｏｌ  Ｃｈａｎｎｅｌ）での特定ＲＮＴＩ又はＭ−ＲＮＴＩの有無に対するモニターを終了する
ことを特徴とする請求項１５記載のユーザー端末。
【請求項１７】
前記タイミング取得手段は、
ＭＣＣＨ重複周期と前記通知周期とに対して剰余演算を実行し、（ｍ＊ＭＣＣＨ重複周期）ｍｏｄ通知周期＝通知受信タイミングオフセットを満足する場合、ｍ番目のＭＣＣＨ重複周期の初期タイミングを前記ＭＣＣＨ変更通知の送信タイミングにし、
そのうち、前記ｍはＭＣＣＨ重複周期カウンターである
ことを特徴とする請求項１２記載のユーザー端末。
【請求項１８】
前記通知受信手段は、
次のＭＣＣＨ修正境界の前にある少なくてもＮ個のＭＣＣＨ変更通知の送信タイミングで物理ダウンリンク制御チャネル（Ｐｈｙｓｉｃａｌ  Ｄｏｗｎｌｉｎｋ  Ｃｏｎｔｒｏｌ  Ｃｈａｎｎｅｌ）をモニターし、前記ＭＣＣＨ変更通知を受信する
ことを特徴とする請求項１１記載のユーザー端末。
【請求項１９】
前記通知受信手段は又、
前記ＭＣＣＨ変更通知を一回正しく受信した後、次のＭＣＣＨ修正境界の前の他の通知送信タイミングで、ＰＤＣＣＨでの特定ＲＮＴＩ又はＭ−ＲＮＴＩの有無に対するモニターを終了する
ことを特徴とする請求項１８記載のユーザー端末。
【請求項２０】
Ｎの値は下記の式で設定され、
Ｎ＝最短ＭＣＣＨ修正周期／ＭＣＣＨ変更通知の通知周期
そのうち、前記ＭＣＣＨ変更通知の通知周期は一つのＭＣＣＨ修正周期内で、前記ＭＣＣＨ変更通知を繰り返して受信する最短時間間隔である
ことを特徴とする請求項１１記載の前記ユーザー端末。
【請求項２１】
基地局はＭＣＣＨ（(Ｍｕｌｔｉｃａｓｔ  Ｃｏｎｔｒｏｌ  Ｃｈａｎｎｅｌ、マルチキャスト制御チャネル）変更通知の送信タイミングを取得するステップと、
一つのＭＣＣＨ修正周期内で、前記送信タイミングによりユーザー端末に対して前記ＭＣＣＨ変更通知を少なくともＮ回送信するステップとを含み、
前記Ｎは予め設定された前記ＭＣＣＨ変更通知の送信回数である
ことを特徴とするマルチキャスト制御チャネル変更通知の送信方法。
【請求項２２】
前記基地局がＭＣＣＨ変更通知の送信タイミングを取得するステップは
前記基地局がＭＣＣＨ変更通知の通知周期と通知受信タイミングオフセットとを取得するステップと、
システムフレーム番号ＳＦＮ、取得された前記通知周期及び通知受信タイミングオフセットにより、前記ＭＣＣＨ変更通知の送信タイミングを取得するステップと
を含むことを特徴とする請求項２１記載のマルチキャスト制御チャネル変更通知の送信方法。
【請求項２３】
ＳＦＮ、取得された通知周期及び通知受信タイミングオフセットにより、前記ＭＣＣＨ変更通知の送信タイミングを取得するステップは、
前記通知周期が最大システムフレーム番号ＭａｘＳＦＮより小さいか等しい場合、前記基地局は前記ＳＦＮと前記通知周期とに対して剰余演算を実行して、得られた結果が前記通知受信タイミングオフセットに等しい場合、前記基地局はシステムフレームの指定サブフレームの位置を前記ＭＣＣＨ変更通知の送信タイミングにするステップ
を含むことを特徴とする請求項２２記載のマルチキャスト制御チャネル変更通知の送信方法。
【請求項２４】
ＳＦＮ、取得された通知周期及び通知受信タイミングオフセットにより、前記ＭＣＣＨ変更通知の送信タイミングを取得するステップは、
前記通知周期がＭａｘＳＦＮより大きい場合、前記基地局は前記ＳＦＮと前記通知周期とに対して剰余演算を実行し、(ｎ＊ＭａｘＳＦＮ＋ＳＦＮ)ｍｏｄ通知周期＝通知受信タイミングオフセットを満足する場合、前記基地局はＳＦＮ拡張倍数がｎであるＳＦＮ周期のシステムフレームの指定サブフレームの位置を前記ＭＣＣＨ変更通知の送信タイミングにするステップ
を含むことを特徴とする請求項２２記載のマルチキャスト制御チャネル変更通知の送信方法。
【請求項２５】
前記一つのＭＣＣＨ修正周期内で前記送信タイミングによりユーザー端末に対して前記ＭＣＣＨ変更通知を少なくともＮ回送信するステップは、
前記基地局が一つ又は複数の予め設定された通知送信窓を取得し、前記システムフレームの指定サブフレームの位置から、前記通知送信窓内のサブフレーム又はＭＢＳＦＮ（Ｍｕｌｔｉｃａｓｔ／Ｂｒｏａｄｃａｓｔ  ｏｖｅｒ  Ｓｉｎｇｌｅ  Ｆｒｅｑｕｅｎｃｙ  Ｎｅｔｗｏｒｋ，マルチキャスト／ブロードキャスト単一周波数ネットワークサブフレーム）により、前記ＭＣＣＨ変更通知を少なくともＮ回送信するステップを含み、
前記通知送信窓のサイズＫの値は前記通知送信窓内のサブフレーム個数又はＭＢＳＦＮサブフレーム個数であり、前記Ｋの値はＮより小さいか等しく、かつ、１より大きいか等しい
ことを特徴とする請求項２３又は２４記載のマルチキャスト制御チャネル変更通知の送信方法。
【請求項２６】
前記基地局がＭＣＣＨ変更通知の送信タイミングを取得するステップは、
前記基地局はＭＣＣＨ重複周期と前記通知周期とに対して剰余演算を実行し、（ｍ＊ＭＣＣＨ重複周期）ｍｏｄ通知周期＝通知受信タイミングオフセットを満足する場合、前記基地局はｍ番目のＭＣＣＨ重複周期の初期タイミングを前記ＭＣＣＨ変更通知の送信タイミングにするステップを含み、
そのうち、前記ｍはＭＣＣＨ重複周期カウンターである
ことを特徴とする請求項２２記載のマルチキャスト制御チャネル変更通知の送信方法。
【請求項２７】
前記一つのＭＣＣＨ修正周期内で前記送信タイミングによりユーザー端末に対して前記ＭＣＣＨ変更通知を少なくともＮ回送信するステップは、
前記基地局は次のＭＣＣＨ修正境界の前にある少なくともＮ個のＭＣＣＨ変更通知の送信タイミングで、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ）により前記ＭＣＣＨ変更通知を送信するステップを含み、
前記Ｎの値は前記次のＭＣＣＨ修正境界の前にあるＭＣＣＨ変更通知の送信タイミングの個数より小さいか等しい
ことを特徴とする請求項２１記載のマルチキャスト制御チャネル変更通知の送信方法。
【請求項２８】
Ｎの値は下記の式で設定され、
Ｎ＝最短ＭＣＣＨ修正周期／ＭＣＣＨ変更通知の通知周期
そのうち、前記ＭＣＣＨ変更通知の通知周期は一つのＭＣＣＨ修正周期内で、前記ＭＣＣＨ変更通知を繰り返して送信する最短時間間隔である
ことを特徴とする請求項２１記載のマルチキャスト制御チャネル変更通知の送信方法。
【請求項２９】
ＭＣＣＨ変更通知の送信タイミングを取得するタイミング取得手段と、
一つのＭＣＣＨ修正周期内で、前記タイミング取得手段で取得された送信タイミングにより、ユーザー端末に対して前記ＭＣＣＨ変更通知を少なくともＮ回送信する通知送信手段と、
を有し、前記Ｎは予め設定された前記ＭＣＣＨ変更通知の送信回数である
ことを特徴とするマルチキャスト制御チャネル変更通知の送信装置。
【請求項３０】
前記タイミング取得手段は
前記ＭＣＣＨ変更通知の通知周期と通知受信タイミングオフセットとを取得し、
ＳＦＮ（Ｓｙｓｔｅｍ  Ｆｒａｍｅ  Ｎｕｍｂｅｒ，システムフレーム番号）、取得された前記通知周期及び前記通知受信タイミングオフセットにより、前記ＭＣＣＨ変更通知の送信タイミングを取得する
ことを特徴とする請求項２９記載のマルチキャスト制御チャネル変更通知の送信装置。
【請求項３１】
前記タイミング取得手段は
前記通知周期が最大システムフレーム番号ＭａｘＳＦＮより小さいか等しい場合、前記ＳＦＮと前記通知周期とに対して剰余演算を実行し、得られた結果が前記通知受信タイミングオフセットに等しい場合、前記システムフレームの指定サブフレームの位置を前記ＭＣＣＨ変更通知の送信タイミングにする
ことを特徴とする請求項３０記載のマルチキャスト制御チャネル変更通知の送信装置。
【請求項３２】
前記タイミング取得手段は、
前記通知周期がＭａｘＳＦＮより大きい場合、前記ＳＦＮと前記通知周期とに対して剰余演算を実行し、(ｎ＊ＭａｘＳＦＮ＋ＳＦＮ)ｍｏｄ通知周期＝通知受信タイミングオフセットを満足する場合、ＳＦＮ拡張倍数がｎであるＳＦＮ周期の前記システムフレームの指定サブフレームの位置を前記ＭＣＣＨ変更通知の送信タイミングにする
ことを特徴とする請求項３０記載のマルチキャスト制御チャネル変更通知の送信装置。
【請求項３３】
前記通知送信手段は
一つ又は複数の予め設定された通知送信窓を取得し、前記システムフレームの指定サブフレームの位置から、前記通知送信窓内のサブフレーム又はＭＢＳＦＮ（Ｍｕｌｔｉｃａｓｔ／Ｂｒａｏａｄｃａｓｔ  ｏｖｅｒ  Ｓｉｎｇｌｅ  Ｆｒｅｑｕｅｎｃｙ  Ｎｅｔｗｏｒｋ，マルチキャスト／ブロードキャスト単一周波数ネットワーク）サブフレームにより、前記ＭＣＣＨ変更通知を少なくともＮ回送信し、
前記通知送信窓のサイズＫの値は前記通知送信窓内のサブフレーム個数又はＭＢＳＦＮサブフレーム個数であり、前記Ｋの値はＮより小さいか等しく、かつ、１より大きいか等しい
ことを特徴とする請求項３１又は３２記載のマルチキャスト制御チャネル変更通知の送信装置。
【請求項３４】
前記タイミング取得手段は又、
ＭＣＣＨ重複周期と前記通知周期とに対して剰余演算を実行し、（ｍ＊ＭＣＣＨ重複周期）ｍｏｄ通知周期＝通知受信タイミングオフセットを満足する場合、ｍ番目のＭＣＣＨ重複周期の初期タイミングを前記ＭＣＣＨ変更通知の送信タイミングにし、
そのうち、ｍはＭＣＣＨ重複周期カウンターである、
ことを特徴とする請求項３０記載のマルチキャスト制御チャネル変更通知の送信装置。
【請求項３５】
前記通知送信手段は又、
次のＭＣＣＨ修正境界の前にある少なくともＮ個のＭＣＣＨ変更通知の送信タイミングで、ＰＤＣＣＨにより前記ＭＣＣＨ変更通知を送信し、
前記Ｎの値は前記次のＭＣＣＨ修正境界の前にあるＭＣＣＨ変更通知の送信タイミングの個数より小さいか等しい
ことを特徴とする請求項２９記載のマルチキャスト制御チャネル変更通知の送信装置。
【請求項３６】
Ｎの値は下記の式で設定され、
Ｎ＝最短ＭＣＣＨ修正周期／ＭＣＣＨ変更通知の通知周期
そのうち、前記ＭＣＣＨ変更通知の通知周期は一つのＭＣＣＨ修正周期内で、前記ＭＣＣＨ変更通知を繰り返して送信する最短時間間隔である
ことを特徴とする請求項２９記載のマルチキャスト制御チャネル変更通知の送信装置。
【手続補正１５】
【補正対象書類名】図面
【補正対象項目名】図３
【補正方法】変更
【補正の内容】
【図３】
2013502104.tif 000018
【国際調査報告】
2013502104.tif 000019
2013502104.tif 000020
2013502104.tif 000021
2013502104.tif 000022